(57)【要約】【課題】  ２以上のプレゼンテーションが連続して行われる場合に、発表者の交代における資料画像の切替えに要する時間を短縮し、かつ、進行中以外のプレゼンテーションの資料画像を閲覧可能にするプレゼンテーション支援装置、プレゼンテーション支援システム、プレゼンテーション支援プログラム、および記録媒体を提供する。【解決手段】  プレゼンテーション支援装置に、資料データ記憶手段４１と、進行リスト記憶手段４３と、選択手段４４と、第１変更手段４７と、第２変更手段４８と、資料画像表示手段４２と、画像変更指示受信手段４５と、画像変更手段４６とを設け、選択手段４４がプレゼンテーションの行われる順番の中の連続する２つの順番に対応する順番情報を選択している状態にあるときには、該２つの順番情報に係る２つの資料画像を、予め定める端末装置２０の表示部３３に表示させる。【選択図】      図４
2011142523.tif 000002
【特許請求の範囲】
【請求項１】
表示部と操作部とを備える端末装置である、発表用端末装置および聴講用端末装置のそれぞれとデータ通信可能なプレゼンテーション支援装置であって、
複数のプレゼンテーションに対応した複数の資料データを記憶する資料データ記憶手段と、
前記資料データと、各プレゼンテーションが行われる順番にそれぞれ対応する順番情報とを関連付けたリストである、進行リストを記憶する進行リスト記憶手段と、
前記進行リストに基づき、前記順番のとおりに、前記順番情報のうちの、いずれか１つの順番情報、または前記順番の中の連続する２つの順番に対応する順番情報を、選択する選択手段と、
前記選択手段が１つの順番情報を選択している状態にあるときに、前記進行リストに基づいて、前記選択手段を、さらに該１つの順番情報が示す順番の次の順番に対応する順番情報も選択している状態へ切り替えるように制御する第１変更手段と、
前記選択手段が前記順番の中の連続する２つの順番に対応する順番情報を選択している状態にあるときに、前記進行リストに基づいて、前記選択手段を、該２つの順番のうちの後の順番に対応する順番情報を選択している状態へ切り替えるように制御する第２変更手段と、
前記資料データに基づく画像を、前記表示部に表示させる資料画像表示手段と、
前記発表用端末装置の操作部を介して該発表用端末装置に入力された画像変更指示に基づく信号を、該発表用端末装置から受信する画像変更指示受信手段と、
前記信号に基づいて、前記資料画像表示手段が前記表示部に表示させている画像を、該画像の基となった資料データとは異なる資料データに基づく画像に変更するように、前記資料画像表示手段を制御する画像変更手段とを備え、
前記資料画像表示手段は、
前記選択手段が１つの順番情報を選択している状態にあるときには、該１つの順番情報と関連付けられた資料データに基づく画像を、前記表示部に表示させ、
前記選択手段が前記順番の中の連続する２つの順番に対応する順番情報を選択している状態にあるときには、該２つの順番に対応する順番情報とそれぞれ関連付けられた資料データにそれぞれ基づく２つの画像を、前記発表用端末装置を含む予め定める端末装置の表示部に表示させるように構成されることを特徴とするプレゼンテーション支援装置。
【請求項２】
前記資料画像表示手段は、発表用端末装置のみを、前記予め定める端末装置とするように構成されることを特徴とする請求項１に記載のプレゼンテーション支援装置。
【請求項３】
前記資料画像表示手段は、前記選択手段が前記順番の中の連続する２つの順番に対応する順番情報を選択している状態にあるときに、該２つの順番に対応する順番情報とそれぞれ関連付けられた資料データ以外の資料データに基づく画像を、予め定める端末装置の表示部に表示させるように構成されることを特徴とする請求項１または２に記載のプレゼンテーション支援装置。
【請求項４】
前記資料画像表示手段は、前記表示部に、前記資料データに基づく画像を２つ以上表示させる場合に、選択閲覧可能に表示させるように構成されることを特徴とする請求項１〜３のいずれか１つに記載のプレゼンテーション支援装置。
【請求項５】
前記第１変更手段は、前記資料画像表示手段が前記発表用端末装置の表示部に画像を表示させた資料データの数を判定する第１表示数判定手段を含み、該第１表示数判定手段によって判定された値に基づいて、前記選択手段を制御するように構成されることを特徴とする請求項１〜４のいずれか１つに記載のプレゼンテーション支援装置。
【請求項６】
前記第１変更手段は、前記資料画像表示手段が前記資料データに基づく画像を前記発表用端末装置の表示部に表示させていた時間を判定する第１表示時間判定手段をさらに含み、該第１表示時間判定手段によって判定された値に基づいて、前記選択手段を制御するように構成されることを特徴とする請求項１〜５のいずれか１つに記載のプレゼンテーション支援装置。
【請求項７】
前記第２変更手段は、前記資料画像表示手段が前記発表用端末装置の表示部に画像を表示させた資料データの数を判定する第２表示数判定手段を含み、該第２表示数判定手段によって判定された値に基づいて、前記選択手段を制御するように構成されることを特徴とする請求項１〜６のいずれか１つに記載のプレゼンテーション支援装置。
【請求項８】
前記選択手段が前記順番の中の連続する２つの順番に対応する順番情報を選択している状態にあるときに、該２つの順番のうちの後の順番に対応する順番情報と関連付けられた資料データ以外の資料データに基づく画像を表示している表示部を備える聴講用端末装置に対して、予め定める通知を行う通知手段をさらに備えることを特徴とする請求項１〜７のいずれか１つに記載のプレゼンテーション支援装置。
【請求項９】
前記進行リスト記憶手段は、前記進行リストとして、前記資料データと、各プレゼンテーションが行われる順番にそれぞれ対応する順番情報と、前記端末装置を識別するための端末情報とを関連付けたリストを記憶するように構成され、
前記選択手段によって選択された順番情報に関連付けられた端末情報によって識別される端末装置を発表者端末装置とし、該端末情報以外の端末情報によって識別される端末装置を聴講者端末装置とするように設定する端末選定手段をさらに備えることを特徴とする請求項１〜８のいずれか１つに記載のプレゼンテーション支援装置。
【請求項１０】
請求項１〜９のいずれか１つに記載のプレゼンテーション支援装置と、該プレゼンテーション支援装置とデータ通信可能に接続される、表示部および操作部を備える複数の端末装置とを含むことを特徴とするプレゼンテーション支援システム。
【請求項１１】
請求項１〜９のいずれか１つに記載のプレゼンテーション支援装置を実現するためのプレゼンテーション支援プログラムであって、コンピュータを前記の各種手段として機能させるためのプレゼンテーション支援プログラム。
【請求項１２】
請求項１１に記載のプレゼンテーション支援プログラムを記録したコンピュータ読み取り可能な記録媒体。
【発明の詳細な説明】
【技術分野】
【０００１】
本発明は、プレゼンテーション支援装置、プレゼンテーション支援システム、プレゼンテーション支援プログラム、および記録媒体に関する。
【背景技術】
【０００２】
会議、講演、または宣伝などのプレゼンテーションは、通常、モニタなどの表示装置に資料画像を表示させながら、資料の内容について説明することで進行する。表示される資料画像は、発表者によって手動で切り替えられる場合の他、特許文献１，２に記載のように、装置によって切り替えられる場合がある。
【０００３】
特許文献１に記載の情報処理装置は、入力された音声から原稿に記述されているキーワードを認識し、その認識率に対応して資料画像の切替えを行うとされている。特許文献２に記載のネットワーク会議支援装置は、会議の進行に応じて、資料画像の切替えを自動的に行うとされている。
【先行技術文献】
【特許文献】
【０００４】
【特許文献１】特開平１１−２５９２６９号公報
【特許文献２】特開２００６−２７９５３５号公報
【発明の概要】
【発明が解決しようとする課題】
【０００５】
会議などでは、２以上のプレゼンテーションが連続して行われることがある。２以上のプレゼンテーションが連続する場合、先のプレゼンテーションが終了したとき、該プレゼンテーションにおける発表者が後のプレゼンテーションにおける発表者に交代するとともに、表示装置に表示されている、先のプレゼンテーションの資料画像を、後のプレゼンテーションの資料画像に切り替える必要がある。このとき、先後のプレゼンテーションにおいて、表示する資料画像の種類やデータ容量が増えるにつれて、資料画像の切替えに要する時間が増加し、会議などの進行に遅延が生じるという問題がある。また、表示装置には、進行中のプレゼンテーションの資料画像しか表示されないけれども、会議などの会議参加者には、進行中以外のプレゼンテーションの資料画像を閲覧したいという要求がある。
【０００６】
特許文献１に記載の情報処理装置は、音声の認識によって、１つのプレゼンテーション中における資料画像の切替えを行うけれども、２以上のプレゼンテーション間における資料画像の切替えについては記載されていない。また、特許文献１において、表示装置には、進行中のプレゼンテーションの資料画像しか表示されない。よって、特許文献１に記載の情報処理装置では、上記の２つの課題を解決することはできない。
【０００７】
特許文献２には、ネットワーク会議支援装置が会議の進行に応じて資料画像の切替えを自動的に行うことが記載されているけれども、該装置が如何にして、１つのプレゼンテーションが終了したこと、または、発表者が交代したことを認識するのかについて、全く記載されていない。また、特許文献２において、表示装置には、進行中のプレゼンテーションの資料画像しか表示されない。よって、特許文献２に記載のネットワーク会議支援装置では、上記の２つの課題を解決することはできない。
【０００８】
本発明は、上述した課題を解決するためになされたものであって、２以上のプレゼンテーションが連続して行われる場合に、発表者の交代における資料画像の切替えに要する時間を短縮し、かつ、進行中以外のプレゼンテーションの資料画像を閲覧可能にするプレゼンテーション支援装置、プレゼンテーション支援システム、プレゼンテーション支援プログラム、および記録媒体を提供することを目的とする。
【課題を解決するための手段】
【０００９】
本発明は、表示部と操作部とを備える端末装置である、発表用端末装置および聴講用端末装置のそれぞれとデータ通信可能なプレゼンテーション支援装置であって、
複数のプレゼンテーションに対応した複数の資料データを記憶する資料データ記憶手段と、
前記資料データと、各プレゼンテーションが行われる順番にそれぞれ対応する順番情報とを関連付けたリストである、進行リストを記憶する進行リスト記憶手段と、
前記進行リストに基づき、前記順番のとおりに、前記順番情報のうちの、いずれか１つの順番情報、または前記順番の中の連続する２つの順番に対応する順番情報を、選択する選択手段と、
前記選択手段が１つの順番情報を選択している状態にあるときに、前記進行リストに基づいて、前記選択手段を、さらに該１つの順番情報が示す順番の次の順番に対応する順番情報も選択している状態へ切り替えるように制御する第１変更手段と、
前記選択手段が前記順番の中の連続する２つの順番に対応する順番情報を選択している状態にあるときに、前記進行リストに基づいて、前記選択手段を、該２つの順番のうちの後の順番に対応する順番情報を選択している状態へ切り替えるように制御する第２変更手段と、
前記資料データに基づく画像を、前記表示部に表示させる資料画像表示手段と、
前記発表用端末装置の操作部を介して該発表用端末装置に入力された画像変更指示に基づく信号を、該発表用端末装置から受信する画像変更指示受信手段と、
前記信号に基づいて、前記資料画像表示手段が前記表示部に表示させている画像を、該画像の基となった資料データとは異なる資料データに基づく画像に変更するように、前記資料画像表示手段を制御する画像変更手段とを備え、
前記資料画像表示手段は、
前記選択手段が１つの順番情報を選択している状態にあるときには、該１つの順番情報と関連付けられた資料データに基づく画像を、前記表示部に表示させ、
前記選択手段が前記順番の中の連続する２つの順番に対応する順番情報を選択している状態にあるときには、該２つの順番に対応する順番情報とそれぞれ関連付けられた資料データにそれぞれ基づく２つの画像を、前記発表用端末装置を含む予め定める端末装置の表示部に表示させるように構成されることを特徴とするプレゼンテーション支援装置である。
【００１０】
また本発明は、前記資料画像表示手段は、発表用端末装置のみを、前記予め定める端末装置とするように構成されることを特徴とする。
【００１１】
また本発明は、前記資料画像表示手段は、前記選択手段が前記順番の中の連続する２つの順番に対応する順番情報を選択している状態にあるときに、該２つの順番に対応する順番情報とそれぞれ関連付けられた資料データ以外の資料データに基づく画像を、予め定める端末装置の表示部に表示させるように構成されることを特徴とする。
【００１２】
また本発明は、前記資料画像表示手段は、前記表示部に、前記資料データに基づく画像を２つ以上表示させる場合に、選択閲覧可能に表示させるように構成されることを特徴とする。
【００１３】
また本発明は、前記第１変更手段は、前記資料画像表示手段が前記発表用端末装置の表示部に画像を表示させた資料データの数を判定する第１表示数判定手段を含み、該第１表示数判定手段によって判定された値に基づいて、前記選択手段を制御するように構成されることを特徴とする。
【００１４】
また本発明は、前記第１変更手段は、前記資料画像表示手段が前記資料データに基づく画像を前記発表用端末装置の表示部に表示させていた時間を判定する第１表示時間判定手段をさらに含み、該第１表示時間判定手段によって判定された値に基づいて、前記選択手段を制御するように構成されることを特徴とする。
【００１５】
また本発明は、前記第２変更手段は、前記資料画像表示手段が前記発表用端末装置の表示部に画像を表示させた資料データの数を判定する第２表示数判定手段を含み、該第２表示数判定手段によって判定された値に基づいて、前記選択手段を制御するように構成されることを特徴とする。
【００１６】
また本発明は、前記選択手段が前記順番の中の連続する２つの順番に対応する順番情報を選択している状態にあるときに、該２つの順番のうちの後の順番に対応する順番情報と関連付けられた資料データ以外の資料データに基づく画像を表示している表示部を備える聴講用端末装置に対して、予め定める通知を行う通知手段をさらに備えることを特徴とする。
【００１７】
また本発明は、前記進行リスト記憶手段は、前記進行リストとして、前記資料データと、各プレゼンテーションが行われる順番にそれぞれ対応する順番情報と、前記端末装置を識別するための端末情報とを関連付けたリストを記憶するように構成され、
前記選択手段によって選択された順番情報に関連付けられた端末情報によって識別される端末装置を発表者端末装置とし、該端末情報以外の端末情報によって識別される端末装置を聴講者端末装置とするように設定する端末選定手段をさらに備えることを特徴とする。
【００１８】
また本発明は、前記プレゼンテーション支援装置と、該プレゼンテーション支援装置とデータ通信可能に接続される、表示部および操作部を備える複数の端末装置とを含むことを特徴とするプレゼンテーション支援システムである。
【００１９】
また本発明は、前記プレゼンテーション支援装置を実現するためのプレゼンテーション支援プログラムであって、コンピュータを前記の各種手段として機能させるためのプレゼンテーション支援プログラムである。
【００２０】
また本発明は、前記プレゼンテーション支援プログラムを記録したコンピュータ読み取り可能な記録媒体である。
【発明の効果】
【００２１】
本発明によれば、資料画像表示手段は、プレゼンテーションの行われる順番の中の連続する２つの順番に対応する順番情報とそれぞれ関連付けられた２つの資料データにそれぞれ基づく２つの画像を、発表用端末装置を含む予め定める端末装置の表示部に表示させることができる。よって、発表者の交代における資料画像の切替えに要する時間を短縮することができる。また、予め定める端末装置の表示部において、先の発表者および後の発表者のプレゼンテーションに係る画像のいずれも閲覧することができる。
【００２２】
また本発明によれば、資料画像表示手段は、発表用端末装置のみを、予め定める端末装置とするように構成される。したがって、発表用端末装置の表示部においてのみ、前記順番の中の連続する２つの順番に対応する順番情報とそれぞれ関連付けられた２つの資料データにそれぞれ基づく２つの画像を、表示することができる。これによって、発表者の交代における資料画像の切替えに要する時間を短縮することができ、かつ、聴講用端末装置を用いる者は進行中のプレゼンテーションに集中することができる。
【００２３】
また本発明によれば、資料画像表示手段は、前記順番の中の連続する２つの順番に対応する順番情報と関連付けられた資料データ以外の、任意の資料データに基づく画像を、予め定める端末装置の表示部に表示させることができるので、より利便性の高いプレゼンテーション支援装置を提供できる。
【００２４】
また本発明によれば、資料画像表示手段は、端末装置の表示部に資料データに基づく画像を２つ以上表示させる場合に、選択閲覧可能に表示させることができるので、より利便性の高いプレゼンテーション支援装置を提供できる。
【００２５】
また本発明によれば、第１変更手段は、資料画像表示手段が発表用端末装置の表示部に画像を表示させた資料データの数に基づいて、選択手段の状態を切り替えることができる。
【００２６】
また本発明によれば、第１変更手段は、資料画像表示手段が資料データに基づく画像を発表用端末装置の表示部に表示させていた時間に基づいて、選択手段の状態を切り替えることができる。
【００２７】
また本発明によれば、第２変更手段は、資料画像表示手段が発表用端末装置の表示部に画像を表示させた資料データの数に基づいて、選択手段の状態を切り替えることができる。
【００２８】
また本発明によれば、通知手段によって、後の順番に対応する順番情報と関連付けられた資料データ以外の資料データに基づく画像を表示している聴講用端末装置に対して、予め定める通知を行うことができる。
【００２９】
また本発明によれば、各会議参加者は自身の端末装置を用いてプレゼンテーションを行えるので、発表者の交代に要する時間を短縮できる。
【００３０】
また本発明によれば、プレゼンテーション支援システムは、本発明に係るプレゼンテーション支援装置を含むので、発表者の交代における資料画像の切替えに要する時間を短縮することができる。また、予め定める端末装置の表示部において、先の発表者および後の発表者のプレゼンテーションに係る画像のいずれも閲覧することができる。
【００３１】
また本発明によれば、プレゼンテーション支援プログラムは、前記プレゼンテーション支援装置を実現するためのプログラムであって、コンピュータを前記各種手段として機能させるためのプログラムである。したがって、本発明に係るプレゼンテーション支援プログラムを用いることで、本発明に係るプレゼンテーション支援装置を容易に実現することができる。
【００３２】
また本発明によれば、記録媒体は、前記プレゼンテーション支援プログラムを記録したコンピュータ読み取り可能なものなので、コンピュータ読み取り可能な記録媒体から読み出されたプログラムによって、前記プレゼンテーション支援装置をコンピュータ上に実現することができる。
【図面の簡単な説明】
【００３３】
【図１】会議支援システム５０の構成を示すブロック図である。
【図２】端末装置２０の構成を示すブロック図である。
【図３】会議支援装置１０の構成を示すブロック図である。
【図４】会議支援装置１０によって実現される機能を示すブロック図である。
【図５】第１実施形態における会議進行処理を示すフローチャートである。
【図６Ａ】発表用端末装置２０Ａの表示部３３Ａを示す図である。
【図６Ｂ】聴講用端末装置２０Ｃの表示部３３Ｃを示す図である。
【図７Ａ】後発表用画像１５０Ａを前面に表示させたときの表示部３３Ａを示す図である。
【図７Ｂ】後聴講用画像１２０Ｃを前面に表示させたときの表示部３３Ｃを示す図である。
【図８】通知手段によるメッセージ８０が表示された表示部３３Ｃを示す図である。
【図９Ａ】第１実施形態の第１変形例において、１番目２番目同時選択状態における発表用端末装置２０Ａの表示部３３Ａを示す図である。
【図９Ｂ】第１実施形態の第１変形例において、１番目２番目同時選択状態における聴講用端末装置２０Ｃの表示部３３Ｃを示す図である。
【図１０】第１実施形態の第２変形例において、１番目２番目同時選択状態における聴講用端末装置２０Ｃの表示部３３Ｃを示す図である。
【図１１】会議支援システム２２０の構成を示すブロック図である。
【図１２】会議支援装置２１０によって実現される機能を示すブロック図である。
【図１３】第２実施形態における会議進行処理を示すフローチャートである。
【図１４Ａ】端末装置２０Ｐの表示部３３Ｐを示す図である。
【図１４Ｂ】端末装置２０Ｑの表示部３３Ｑを示す図である。
【図１４Ｃ】端末装置２０Ｒの表示部３３Ｒを示す図である。
【図１５Ａ】後聴講用画像３２０Ｐを前面に表示させたときの表示部３３Ｐを示す図である。
【図１５Ｂ】後発表用画像３５０Ｑを前面に表示させたときの表示部３３Ｑを示す図である。
【図１５Ｃ】後聴講用画像３２０Ｒを前面に表示させたときの表示部３３Ｒを示す図である。
【図１６】通知手段によるメッセージ２８０が表示された表示部３３Ｒを示す図である。
【図１７Ａ】第２実施形態の第１変形例において、１番目２番目同時選択状態における端末装置２０Ｐの表示部３３Ｐを示す図である。
【図１７Ｂ】第２実施形態の第１変形例において、１番目２番目同時選択状態における端末装置２０Ｑの表示部３３Ｑを示す図である。
【図１７Ｃ】第２実施形態の第１変形例において、１番目２番目同時選択状態における端末装置２０Ｒの表示部３３Ｒを示す図である。
【図１８】第２実施形態の第２変形例において、１番目２番目同時選択状態における端末装置２０Ｑの表示部３３Ｑを示す図である。
【図１９】第２実施形態の第２変形例において、１番目２番目同時選択状態における端末装置２０Ｒの表示部３３Ｒを示す図である。
【発明を実施するための形態】
【００３４】
本発明に係るプレゼンテーション支援システムの第１実施形態である会議支援システム５０は、本発明に係るプレゼンテーション支援装置の第１実施形態である会議支援装置１０と端末装置２０とを含む。図１は、会議支援システム５０の構成を示すブロック図である。会議支援システム５０は、会議支援装置１０、および会議支援装置１０とデータ通信を行う複数の端末装置２０を備える。本実施形態では、端末装置２０には、発表者の用いる端末装置として予め設定された発表用端末装置２０Ａと、聴講者の用いる端末装置として予め設定された聴講用端末装置２０Ｂとが含まれ、会議支援システム５０は、少なくとも１つの発表用端末装置２０Ａを含む。発表用端末装置２０Ａと、聴講用端末装置２０Ｂとを区別しない場合には、単に、端末装置２０と表す。
【００３５】
会議支援装置１０および端末装置２０は、ＬＡＮ（Local Area Network）やＷＡＮ（
Wide Area Network）などのＩＰ（Internet Protocol）ネットワーク４０を介して相互にデータ通信可能に接続される。会議支援装置１０および端末装置２０は、ＩＰネットワーク４０を介して、たとえば、Ｈ．３２３、Ｔ．１２０、ＳＩＰ（Session Initiation 
Protocol）、ＨＴＴＰ（Hyper Text Transfer Protocol）などの通信プロトコルに従って、音声信号や映像信号などの各種の信号の送受信を行なう。なお、会議支援装置１０および端末装置２０は、これらの通信プロトコルを適宜組み合わせて利用してもよい。
【００３６】
本実施形態では、会議支援システム５０は、会議支援装置１０および端末装置２０が、ＩＰネットワーク４０を介して相互にデータ通信可能に接続されるけれども、他の実施形態としては、複数の端末装置２０それぞれはデータ通信可能に接続されておらず、各端末装置２０それぞれが会議支援装置１０と１対１通信を行なうように接続されてもよい。また、他の実施形態として、１つの端末装置２０が会議支援装置１０の機能を備え、この端末装置２０を親機とし、他の端末装置２０（子機）それぞれが親機と１対１通信できるように接続されてもよい。
【００３７】
本実施形態において、会議支援システム５０は、たとえば、同一の会議に参加する会議参加者の用いる端末装置２０がすべて同一の部屋に設置されているものとする。たとえば、同一の会議に参加する会議参加者の人数分の聴講用端末装置２０Ｂと、プレゼンテーションに用いる１つの発表用端末装置２０Ａが同一の部屋に用意されており、各会議参加者はそれぞれ１つの聴講用端末装置２０Ｂを用いて会議に参加する。そして、発表者は、発表用端末装置２０Ａに、プレゼンテーションに用いる資料データ（以下、単に「資料データ」と称する場合がある）に基づく画像（以下、「資料画像」と称する場合がある）を表示させて、プレゼンテーションを行う。発表者以外の各会議参加者（聴講者）は、自身が使用する聴講用端末装置２０Ｂに、発表用端末装置２０Ａに表示される資料画像と同一の画像を表示させつつ、発表者の説明を聞き、会議を進める。なお、本実施形態において、資料データとは、Microsoft（登録商標） Office Word、Microsoft Office Excel、
Microsoft Office PowerPointなどの文書作成ソフトによって作成されたファイルデータのうちの各ページのデータを指す。本実施形態では、ファイルデータ全体を、資料データ群と称する。
【００３８】
他の実施形態の会議支援システムとしては、端末装置２０は必ずしも同一の部屋に設置される必要は無く、離れた拠点に設置されてもよい。このような、他の実施形態における会議支援システムは、離れた拠点間での遠隔会議に用いることができる。
【００３９】
本発明に係る会議支援装置１０より先に、まず、端末装置２０について説明する。図２は、端末装置２０の構成を示すブロック図である。端末装置２０としては、パーソナルコンピュータ（ＰＣ）などの一般的な情報処理装置を用いることができる。端末装置２０は、制御部２１、通信処理部２２、ネットワークＩ／Ｆ部２３、認証部２４、信号処理部２５、入力音声処理部２６、マイクロホン２７、出力音声処理部２８、スピーカ２９、映像処理部３０、カメラ３１、表示処理部３２、表示部３３、入力処理部３４、操作部３５、記憶部３６、および一時記憶部３７を備える。なお、発表用端末装置２０Ａの各部材を示す参照符号の末尾にはアルファベット「Ａ」を付し、聴講用端末装置２０Ｂの各部材を示す参照符号の末尾にはアルファベット「Ｂ」を付すことにする。
【００４０】
制御部２１は、ＣＰＵ（Central Processing Unit）などからなる。制御部２１は、端末装置２０の上記各部を制御する。記憶部３６はハードディスクなどからなる。記憶部３６は、端末ＩＤなどの各端末装置２０を識別するための情報を記憶する。一時記憶部３７は、ＳＲＡＭ（Static Random Access Memory）や、ＤＲＡＭ（Dynamic Random Access 
Memory）などのＲＡＭからなる。一時記憶部３７は、制御部２１の処理によって発生する各種の情報を記憶する。
【００４１】
通信処理部２２は、ネットワークカードなどを含み、ＩＰネットワーク４０を介したデータ通信を実現させる。より詳細には、通信処理部２２は、ＩＰネットワーク４０に接続されるネットワークＩ／Ｆ部２３と接続されており、ＩＰネットワーク４０を介して送受信される情報のパケット化、パケットからの情報の読み取りなどを行なう。
【００４２】
認証部２４は、ユーザが操作部３５を介して入力したユーザＩＤおよびパスワードを、通信処理部２２を介して会議支援装置１０へ送信する。また、認証部２４は、会議支援装置１０が会議支援装置１０の有する認証データに基づいて決定した会議参加の許否を、通信処理部２２を介して受信する。ユーザは、会議支援装置１０によって会議への参加が許可された端末装置２０を用いて、会議に参加することができる。
【００４３】
信号処理部２５は、音声データや映像データの圧縮や伸張を行えるコーデックである。信号処理部２５は、圧縮された音声データや映像データが与えられると、該圧縮された音声データや映像データを伸張して、出力音声処理部２８および表示処理部３２へそれぞれ出力する。また、信号処理部２５は、入力音声処理部２６から入力された音声データや、映像処理部３０から入力された映像データをそれぞれ、Ｈ．２６４、ＭＰＥＧなどの規格のデータへ変換する。
【００４４】
入力音声処理部２６は、マイクロホン２７に接続される。入力音声処理部２６は、マイクロホン２７によって集音された音声をサンプリングしてデジタルの音声データへ変換して信号処理部２５へ出力する機能である、Ａ／Ｄ（アナログ／デジタル）変換機能を有する。なお、マイクロホン２７はエコーキャンセラを内蔵してもよい。
【００４５】
出力音声処理部２８は、スピーカ２９に接続される。出力音声処理部２８は、信号処理部２５から与えられた音声データを、音声としてスピーカ２９から出力させる機能である、Ｄ／Ａ（デジタル／アナログ）変換機能を有する。
【００４６】
映像処理部３０は、カメラ３１に接続される。映像処理部３０は、カメラ３１の動作の制御を行なうとともに、カメラ３１によって撮像された映像データを取得して、信号処理部２５に出力する。
【００４７】
表示処理部３２は、液晶ディスプレイなどである表示部３３に接続される。表示処理部３２は、信号処理部２５から入力された表示信号を、表示部３３が識別可能な描画信号に変更し、表示部３３に出力して表示させる。
【００４８】
入力処理部３４は、操作部３５に接続される。操作部３５は、キーボード、マウス、およびタッチパネルなどの入力用ユーザインタフェースを含む。入力処理部３４は、キーボードやマウスの各ボタンの押下情報、表示部３３が表示する画像中のマウスによってポイントされる位置を示す座標情報などの情報を、制御部２１へ出力する。
【００４９】
なお、本実施形態では、会議支援システム５０を構成する各端末装置２０は、同一の部屋に設置されるので、マイクロホン２７やカメラ３１などは必ずしも必要ではない。上述した他の実施形態のように、端末装置２０を離れた拠点に設置する場合には、端末装置２０は、マイクロホン２７やカメラ３１などを備えることが好ましい。
【００５０】
次に、本発明に係る会議支援装置１０について説明する。図３は、会議支援装置１０の構成を示すブロック図である。会議支援装置１０としては、ＰＣやサーバコンピュータなどの一般的な情報処理装置を用いることができる。会議支援装置１０は、制御部１、一時記憶部２、記憶部３、通信処理部４、ネットワークＩ／Ｆ部５、および出力部６を備える。
【００５１】
記憶部３は、ハードディスクなどからなる。記憶部３は、会議支援装置１０が後述する各種手段を実現するためのプログラムである、プレゼンテーション支援プログラムを記憶する。また、記憶部３は、各会議参加者を認証するための認証データを記憶する。認証データは、たとえば、各ユーザのユーザＩＤとパスワードとが関連付けられたリストである。
【００５２】
また、記憶部３は、各発表者の資料データ（資料データ群）を記憶する。また、記憶部３は、各資料データ（各資料データ群）と、各プレゼンテーションが行われる順番にそれぞれ対応する順番情報（たとえば、順番番号や、ユーザＩＤ、端末ＩＤなど）とを関連付けたリストである、進行リストを記憶する。
【００５３】
制御部１は、ＣＰＵなどからなる。制御部１は、記憶部３が記憶するプレゼンテーション支援プログラムを一時記憶部２に読み出して実行することにより、会議支援装置１０を、後述する各種手段として機能させる。また、制御部１は、端末装置２０から送信されたユーザＩＤおよびパスワードと、記憶部３が記憶する認証データとから、会議への参加の許否を決定し、該決定の結果を該端末装置２０に送信する。
【００５４】
一時記憶部２は、ＳＲＡＭ、ＤＲＡＭなどのＲＡＭからなる。一時記憶部２は、上記のように読み出されるプレゼンテーション支援プログラムを記憶する。また、一時記憶部２には、記憶部３から資料データ群が読み出され、表示部３３および図示しない会議用の表示装置に資料データごとの資料画像を表示できるように、各資料データに基づく各画像データが記憶される。
【００５５】
通信処理部４は、ネットワークカードなどを含み、会議支援装置１０のＩＰネットワーク４０を介した通信を実現させる。より詳細には、通信処理部４は、ＩＰネットワーク４０に接続されたネットワークＩ／Ｆ部５と接続されており、ＩＰネットワーク４０を介して送受信される情報のパケット化、パケットからの情報の読み取りなどを行なう。
【００５６】
出力部６は、大画面液晶ディスプレイなどの、一般的な会議に使用される大型の表示装置に接続され、一時記憶部２に記憶されたデータに基づいて、該表示装置に各資料画像を表示させる。なお、本実施形態における各会議参加者は、各端末装置２０の表示部３３によって各資料画像を閲覧することができるので、出力部６は必ずしも必要ではない。
【００５７】
上記のように構成される会議支援装置１０によって実現される機能について説明する。図４は、会議支援装置１０によって実現される機能を示すブロック図である。会議支援装置１０は、制御部１がプレゼンテーション支援プログラムを一時記憶部２に読み出して実行することにより、資料データ記憶手段４１、資料画像表示手段４２、進行リスト記憶手段４３、選択手段４４、画像変更指示受信手段４５、画像変更手段４６、第１変更手段４７、および第２変更手段４８を実現する。なお、会議支援装置１０は、上記各種手段と等価な働きをするハードウェアによって構成されてもよい。
【００５８】
資料データ記憶手段４１は、複数のプレゼンテーションに対応した複数の資料データを記憶する機能を有する。進行リスト記憶手段４３は、進行リストを記憶する機能を有する。上述したように、進行リストは、各資料データ（各資料データ群）と、各プレゼンテーションの行われる順番にそれぞれ対応する順番情報とを関連付けたリストである。
【００５９】
選択手段４４は、進行リストに基づき、プレゼンテーションの行われる順番のとおりに、前記順番情報のうちの、いずれか１つの順番情報、またはプレゼンテーションの行われる順番の中の連続する２つの順番に対応する順番情報を、選択する機能を有する。以下では、選択手段４４によって選択された順番情報のことを、「選択順番情報」と称する場合がある。
【００６０】
第１変更手段４７は、選択手段４４が１つの順番情報を選択している状態（以下、「第１状態」と称する場合がある）にあるときに、進行リストに基づいて、選択手段４４を、該１つの順番情報と、該１つの順番情報が示す順番の次の順番に対応する順番情報とを選択している状態（以下、「第２状態」と称する場合がある）へ切り替えるように制御する機能を有する。
【００６１】
第２変更手段４８は、選択手段４４がプレゼンテーションの行われる順番の中の連続する２つの順番に対応する順番情報を選択している状態（第２状態）にあるときに、進行リストに基づいて、選択手段４４を、該２つの順番のうちの、後の順番に対応する順番情報を選択している状態へ切り替えるように制御する機能を有する。
【００６２】
資料画像表示手段４２は、各資料データに基づく画像を、各端末装置２０の各表示部３３に表示させる機能を有する。また、資料画像表示手段４２は、選択手段４４が１つの順番情報を選択している状態（第１状態）にあるときには、該１つの順番情報と関連付けられた資料データに基づく画像を、各端末装置２０の各表示部３３に表示させる機能を有する。また、資料画像表示手段４２は、選択手段４４がプレゼンテーションの行われる順番の中の連続する２つの順番に対応する順番情報を選択している状態（第２状態）にあるときには、該２つの順番に対応する順番情報とそれぞれ関連付けられた２つの資料データにそれぞれ基づく２つの画像を、予め定める端末装置２０（以下では、「共存表示端末装置」と称する場合がある）の表示部３３に表示させる機能を有する。ここで、共存表示端末装置とは、会議支援装置１０に接続される複数の端末装置２０の中から予め設定された端末装置であり、本実施形態では、少なくとも発表用端末装置２０Ａが、共存表示端末装置として設定される。
【００６３】
画像変更指示受信手段４５は、発表用端末装置２０Ａの操作部３５Ａを介して該発表用端末装置２０Ａに入力された画像変更指示に基づく信号を、該発表用端末装置２０Ａから受信する機能を有する。
【００６４】
画像変更手段４６は、画像変更指示に基づく信号に基づいて、資料画像表示手段４２が各表示部３３に表示させている画像を、該画像の基となった資料データとは異なる資料データに基づく画像に変更するように、資料画像表示手段４２を制御する機能を有する。
【００６５】
以下に、会議支援装置１０の上記各種手段による会議進行処理を説明する。図５は、第１実施形態における会議進行処理を示すフローチャートである。会議支援装置１０は、会議進行処理のステップＳ１として、発表用端末装置２０Ａの表示部３３Ａ、および聴講用端末装置２０Ｂの表示部３３Ｂに、最初の発表（プレゼンテーション）に係る資料画像を表示させる。会議支援装置１０は、ステップＳ１の後、会議進行処理をステップＳ２へ進める。
【００６６】
より詳細には、会議支援装置１０は、発表用端末装置２０Ａから会議開始の指示を受けることで、会議進行処理を開始する。会議進行処理を開始すると、会議支援装置１０は、まず、選択手段４４によって、進行リスト記憶手段４３に記憶される進行リストに基づいて、プレゼンテーションの行われる順番の中で最も先の順番に対応する順番情報を選択する。１つの順番情報を選択した後、会議支援装置１０は、資料画像表示手段４２によって、進行リストに基づいて、該順番情報と関連付けられた資料データ群を構成する資料データの１つに基づく画像を、各端末装置２０の各表示部３３に表示させる。なお、選択手段４４が順番情報を選択する前に、すべてのプレゼンテーションの資料画像を各端末装置２０の各表示部３３で表示可能な期間が設けられてもよい。
【００６７】
資料画像表示手段４２が各表示部３３に資料画像を表示させるとき、実際のハードウェア上では、会議支援装置１０の一時記憶部２に、選択手段４４によって選択された順番情報と関連付けられた資料データ群が読み出され、該資料データ群を構成する各資料データに基づく画像を表示させるための各画像データが記憶される。各画像データのうちの１つの画像データが、会議支援装置１０の通信処理部４からＩＰネットワーク４０を介して、各端末装置２０に送信される。各端末装置２０は、各端末装置２０の各通信処理部２２によって受信した画像データに基づいて、各表示部３３に資料画像を表示する。
【００６８】
発表者は、発表用端末装置２０Ａの操作部３５Ａを介して画像変更指示を入力することで、該画像変更指示に基づく信号（画像変更指示信号）を会議支援装置１０に送信することが可能である。画像変更指示とは、各端末装置２０の各表示部３３に表示中の資料画像とは異なる資料画像を、各表示部３３に表示させる指示である。たとえば、各表示部３３に、プレゼンテーションに用いるpdfデータ（資料データ群）の第１ページの画像（表示中の資料画像）が表示されているときに、該pdfデータの第２ページの画像（異なる資料画像）を表示させる指示である。
【００６９】
会議支援装置１０に送信された画像変更指示信号は、画像変更指示受信手段４５によって受信される。画像変更手段４６は、画像変更指示受信手段４５が受信した画像変更指示信号に基づいて、各表示部３３に表示中の資料画像を、該資料画像の基となった資料データとは異なる資料データに基づく画像に変更するように、資料画像表示手段４２を制御する。画像変更手段４６による制御によって、資料画像表示手段４２は、異なる資料画像を各端末装置２０の各表示部３３に表示させる。発表者は、発表用端末装置２０Ａを介して会議支援装置１０に画像変更指示を送りながら、各資料データについての説明を行うことでプレゼンテーションを進めることができる。
【００７０】
会議支援装置１０は、会議進行処理のステップＳ２として、発表用端末装置２０Ａによる処理に基づいて、表示中の資料画像に係る発表（プレゼンテーション）の終期に達したか否かを判定する（終期判定処理）。終期判定処理は、第１変更手段４７が行う。プレゼンテーションの終期とは、大略的には、１つのプレゼンテーションの終了間際から該プレゼンテーションの終了時点までの期間である。第１変更手段４７による終期判定処理については後述する。会議支援装置１０は、ステップＳ２において、終期に達したと判定された場合、会議進行処理をステップＳ４へ進め、終期に達したと判定されなかった場合、会議進行処理をステップＳ２へ戻し、再度、終期判定処理を行わせる（ステップＳ３）。
【００７１】
会議支援装置１０は、会議進行処理のステップＳ４として、次の発表者がいるか否かを判断し、いると判断した場合は、会議進行処理をステップＳ５へ進め、いないと判断した場合は、会議進行処理をステップＳ９へ進める。ステップＳ４における判断は、第１変更手段４７が、進行リスト中に次の順番のプレゼンテーションがあるか否かを確認することで行う。
【００７２】
会議支援装置１０は、会議進行処理のステップＳ５として、次の発表（プレゼンテーション）に係る資料画像を、発表用端末装置２０Ａを含む予め定める端末装置２０（共存表示端末装置）の表示部３３に表示させる。会議支援装置１０は、ステップＳ５の後、会議進行処理をステップＳ６へ進める。
【００７３】
より詳細には、まず、第１変更手段４７が、進行リストに基づいて、選択手段４４が既に選択中の順番情報（先の選択順番情報）だけではなく、該順番情報が示す順番よりも１つ後の順番を示す順番情報も、選択順番情報（後の選択順番情報）として選択するように、選択手段４４を制御する。すなわち、第１変更手段４７は、第１状態の会議支援装置１０を、第２状態となるように制御する。そして、資料画像表示手段４２は、進行リストに基づいて、先の選択順番情報に関連付けられた資料画像（先の発表者の用いる資料画像）と、後の選択順番情報に関連付けられた資料画像（後の発表者の用いる資料画像）とを、予め定める端末装置２０（共存表示端末装置）の表示部３３に表示させる。上述したように、共存表示端末装置としては、少なくとも発表用端末装置２０Ａが設定される。後述する基本例においては、すべての端末装置２０が共存表示端末装置として設定され、後述する第１変形例においては、発表用端末装置２０Ａのみが共存表示端末装置として設定される。
【００７４】
資料画像表示手段４２は、ステップＳ１と同様に、会議支援装置１０の一時記憶部２に、後の選択順番情報と関連付けられた資料データ群を読み出し、該資料データ群を構成する各資料データに基づく画像を表示させるための各画像データを記憶させる。そして、資料画像表示手段４２は、画像データを各端末装置２０に送信して、予め定める端末装置２０（共存表示端末装置）の表示部３３に、先の発表者の用いる資料画像、および後の発表者の用いる資料画像を表示させる。したがって、第２状態の会議支援装置１０において、一時記憶部２は、先の発表者の用いる資料画像の画像データと、後の発表者の用いる資料画像の画像データとの両者を記憶している。
【００７５】
このように、会議支援装置１０が第２状態にあるときは、先の発表者によるプレゼンテーション（先のプレゼンテーション）中に、発表用端末装置２０Ａの表示部３３Ａには、後の発表者の用いる資料画像も表示される。したがって、発表用端末装置２０Ａを介して、後の発表者の用いる資料画像を各端末装置２０の各表示部３３に表示させることも可能になる。ただし、会議の進行上、先の発表者は、後の発表者の用いる資料画像を表示させることはなく、自身の資料画像（先の発表者の用いる資料画像）を用いて、自身のプレゼンテーション（先のプレゼンテーション）を進めて終了する。後の発表者は、先のプレゼンテーションが終了した後、先の発表者と交代する。後の発表者は、交代の後、発表用端末装置２０Ａを介して、自身の資料画像（後の発表者の用いる資料画像）を各端末装置２０の各表示部３３に表示させ、自身のプレゼンテーション（後のプレゼンテーション）を開始し、必要に応じて画像変更指示を送信して各表示部３３に表示させる画像を変更する。上述したように、会議支援装置１０が第２状態にあるときは、会議支援装置１０の一時記憶部２には、先の発表者の用いる資料画像の画像データと、後の発表者の用いる資料画像の画像データとの両方が記憶されており、また、後の発表者に交代する前に、発表用端末装置２０Ａの表示部３３Ａには、後の発表者の用いる資料画像が既に表示されている。したがって、後の発表者は、先のプレゼンテーションが終了し次第、直ちに後のプレゼンテーションを開始できる。このように、本発明に係る会議支援装置１０によれば、発表者の交代における資料画像の切替えに要する時間を短縮できる。
【００７６】
また、予め定める端末装置２０（共存表示端末装置）の表示部３３には、先のプレゼンテーションの終期に達したときから、先の発表者の用いる資料画像と後の発表者の用いる資料画像との、２つの資料画像が表示されるので、該端末装置２０を用いる会議参加者は、進行中ではない、後のプレゼンテーションの資料画像を閲覧することができる。また、後述するように、先の発表者の用いる資料画像は、後のプレゼンテーションの始期が過ぎるときまで、予め定める端末装置２０（共存表示端末装置）の表示部３３に表示されるので、該端末装置２０を用いる会議参加者は、進行中ではない、先のプレゼンテーションの資料画像を閲覧することができる。このように、本発明に係る会議支援装置１０によれば、進行中以外のプレゼンテーションの資料画像を閲覧することができる。
【００７７】
会議支援装置１０は、会議進行処理のステップＳ６として、次の発表（プレゼンテーション）の始期が過ぎたか否かを判定する（始期判定処理）。始期判定処理は、第２変更手段４８が行う。プレゼンテーションの始期とは、大略的には、プレゼンテーションの開始時点からプレゼンテーションがある程度進行した時点までの期間である。第２変更手段４８による始期判定処理については後述する。会議支援装置１０は、ステップＳ６において、始期が過ぎたと判定された場合、会議進行処理をステップＳ８へ進め、始期が過ぎたと判定されなかった場合、会議進行処理をステップＳ６へ戻し、再度、始期判定処理を行わせる（ステップＳ７）。
【００７８】
会議支援装置１０は、会議進行処理のステップＳ８として、直前の発表（プレゼンテーション）に係る資料画像の表示を終了する。会議支援装置１０は、ステップＳ８の後、会議進行処理を再度ステップＳ２へ進める。
【００７９】
より詳細には、まず、第２変更手段４８が、先の選択順番情報として選択されている順番情報、および後の選択順番情報として選択されている順番情報のうち、後の選択順番情報として選択されている順番情報のみを、選択順番情報として引き続き選択するように、選択手段４４を制御する。すなわち、第２変更手段４８は、第２状態の会議支援装置１０を、第１状態となるように制御する。そして、資料画像表示手段４２は、選択順番情報ではなくなった順番情報に関連付けられた資料画像を予め定める端末装置２０（共存表示端末装置）の表示部３３に表示させることを終了し、進行リストに基づいて、選択順番情報として引き続き選択されている順番情報に関連付けられた資料画像のみを、各端末装置２０の表示部３３に表示させる。
【００８０】
ハードウェア上では、会議支援装置１０の一時記憶部２から、選択順番情報ではなくなった順番情報に関連付けられた資料データ群を構成する資料データに基づく画像を表示するための各画像データが削除される。会議支援装置１０の一時記憶部２には、選択順番情報として選択され続ける順番情報に関連付けられた資料データ群を構成する資料データに基づく画像を表示するための各画像データのみが記憶され続ける。
【００８１】
よって、選択手段４４によって選択順番情報として選択された１つの順番情報に関連付けられた資料データ群を構成する資料データに基づく画像のみが、各端末装置２０の各表示部３３に表示されることになる。したがって、ステップＳ８以降ステップＳ２で終期に達したと判定されるまでの期間は、ステップＳ１以降ステップＳ２で終期に達したと判定されるまでの期間と同様に、会議支援装置１０は第１状態である。ステップＳ８以降のステップＳ２における処理は、上述したとおりである。
【００８２】
会議支援装置１０は、会議進行処理のステップＳ９として、表示中の資料画像に係る発表（プレゼンテーション）の終期から所定時間が経過したか否かを判定する（終了判定処理）。終了判定処理は、資料画像表示手段４２が行う。所定時間とは、プレゼンテーションの終期に達してからプレゼンテーションが終了するまでに要する時間として予め定められる予想時間である。所定時間は、たとえば、５分間〜１０分間である。会議支援装置１０は、ステップＳ９において、所定時間が経過したと判定された場合、会議進行処理をステップＳ１１へ進め、所定時間が経過したと判定されなかった場合、会議進行処理をステップＳ９へ戻し、再度、終了判定処理を行わせる（ステップＳ１０）。
【００８３】
会議支援装置１０は、会議進行処理のステップＳ１１として、すべての資料画像の表示を終了して、会議進行処理を終了する。より詳細には、選択手段４４は、いずれの順番情報も選択しなくなり、資料画像表示手段４２は、一時記憶部２に記憶されていた画像データをすべて削除し、資料画像を各表示部３３に表示させることを終了する。なお、会議支援装置１０は、ステップＳ９、ステップＳ１０、およびステップＳ１１の処理を行わずに、電源が切断されるまで、最後に表示部３３に表示させた資料画像を表示させ続けるように構成されてもよい。
【００８４】
以上に説明したような各種手段の機能は、本発明に係るプレゼンテーション支援装置の第１実施形態において共通の機能である。以下に、本発明に係るプレゼンテーション支援装置の第１実施形態である会議支援装置１０の基本例について説明する。基本例において、先の発表者の用いる資料画像と後の発表者の用いる資料画像との、２つの資料画像が表示される予め定める端末装置２０（共存表示端末装置）は、会議支援装置１０に接続しているすべての端末装置２０である。
【００８５】
表１に、進行リストの具体例を示す。なお、資料データ群および進行リストは、会議支援装置１０の外部から、たとえば、端末装置２０から入力される。入力された資料データ群は資料データ記憶手段４１によって記憶され、入力された進行リストは進行リスト記憶手段４３によって記憶される。
【００８６】
【表１】
2011142523.tif 000003
【００８７】
表１において、「ユーザＩＤ」は、各会議参加者を識別するための識別情報を示す。「順番番号」は、プレゼンテーションの行われる順番を示す。「順番番号」は、プレゼンテーションの行われる順番を直接的に示す順番情報である。「ユーザＩＤ」は、進行リストによって「順番番号」と関連付けられることで、プレゼンテーションの行われる順番を間接的に示す順番情報である。たとえば、ユーザＩＤが「Ｘ」（Ｘは、Ａ〜Ｆのいずれかである）の会議参加者を、会議参加者Ｘと表すことにすると、表１は、会議参加者Ａが１番目にプレゼンテーションを行うことを示しており、会議参加者Ｄが４番目にプレゼンテーションを行うことを示している。なお、進行リストには、各会議参加者が用いる各聴講用端末装置２０Ｂの端末ＩＤが含まれてもよい。端末ＩＤも、進行リストによって「順番番号」と関連付けられることで、プレゼンテーションの行われる順番を間接的に示す順番情報となる。
【００８８】
「資料データ群１」、「資料データ群２」、「資料データ群３」、および「資料データ群４」はそれぞれ、各会議参加者がプレゼンテーションに用いる資料データ群を示しており、たとえば、会議参加者Ｂは、「d.pdf」という資料データ群、および「e.xls」という資料データ群を用いて、プレゼンテーションを行うことを示す。ここで、表１に記載される拡張子「doc」、「xls」、「ppt」は、それぞれ、Microsoft Office Word、Microsoft 
Office Excel、Microsoft Office PowerPointを用いて作成されたデータであることを示す拡張子である。また、表１に記載される拡張子「pdf」は、Microsoft Office Word、
Microsoft Office Excel、またはMicrosoft Office PowerPointを用いて作成されたデータを変換して得られるＰＤＦデータであることを示す拡張子である。
【００８９】
以下では、発表用端末装置２０Ａ、およびプレゼンテーションの行われる順番が３番目である会議参加者Ｃが用いる聴講用端末装置２０Ｂを具体例に挙げて説明する。なお、会議参加者Ｃが使用する聴講用端末装置２０Ｂを聴講用端末装置２０Ｃと表し、聴講用端末装置２０Ｃの各部材の参照符号の末尾には、アルファベット「Ｃ」を付して表す。
【００９０】
会議支援装置１０は、順番情報として、「ユーザＩＤ」、「順番番号」、「端末ＩＤ」のうち、いずれを用いてもよいけれども、以下では、「順番番号」を用いるとする。会議が開始されると、上記進行リスト（表１）に基づいて、選択手段４４は、まず、順番番号「１」のみを選択順番情報として選択する（ステップＳ１）。その後、ステップＳ５において、選択手段４４は、順番番号「１」を先の選択順番情報として選択し、順番番号「２」を後の選択順番情報として選択する。さらにその後、ステップＳ８において、選択手段４４は、順番番号「２」のみを、選択順番情報として選択する。したがって、会議支援装置１０は、最初に、順番番号「１」のみを選択順番情報として選択している第１状態（以下、「１番目選択状態」と称する場合がある）となり、次に、順番番号「１」を先の選択順番情報として選択し、順番番号「２」を後の選択順番情報として選択している第２状態（以下、「１番目２番目同時選択状態」と称する場合がある）となり、次に、順番番号「２」のみを選択順番情報として選択している第１状態（以下、「２番目選択状態」と称する場合がある）となる。
【００９１】
会議支援装置１０が１番目選択状態にあるとき、資料画像表示手段４２は、選択順番情報として選択された順番番号「１」と関連付けられた資料データ群を構成する資料データに基づく画像（以下、「「１」に係る資料画像」と称する場合がある）を、発表用端末装置２０Ａの表示部３３Ａ、および聴講用端末装置２０Ｃの表示部３３Ｃそれぞれに表示させる。会議支援装置１０が１番目２番目同時選択状態にあるとき、資料画像表示手段４２は、先の選択順番情報として選択された順番番号「１」に係る資料画像、および後の選択順番情報として選択された順番番号「２」と関連付けられた資料データ群を構成する資料データに基づく画像（以下、「「２」に係る資料画像」と称する場合がある）を、予め定める端末装置２０（共存表示端末装置）の表示部３３に表示させる。本実施形態では、発表用端末装置２０Ａ、およびすべての会議参加者が用いる聴講用端末装置２０Ｂが、予め定める端末装置２０（共存表示端末装置）であるので、「１」に係る資料画像および「２」に係る資料画像が、表示部３３Ａおよび表示部３３Ｃに表示される。会議支援装置１０が２番目選択状態にあるとき、資料画像表示手段４２は、選択順番情報として選択された順番番号「２」に係る資料画像を、各表示部３３Ａ，３３Ｃそれぞれに表示させる。以下では、会議支援装置１０が、１番目選択状態、１番目２番目同時選択状態、および２番目選択状態のそれぞれの状態にあるときにおける、各表示部３３Ａ，３３Ｃそれぞれに表示される画像について説明する。
【００９２】
図６Ａは、発表用端末装置２０Ａの表示部３３Ａを示す図である。図６Ａ（ａ）は、会議支援装置１０が１番目選択状態にあるときの表示部３３Ａを示し、図６Ａ（ｂ）は、会議支援装置１０が１番目２番目同時選択状態にあるときの表示部３３Ａを示し、図６Ａ（ｃ）は、会議支援装置１０が２番目選択状態にあるときの表示部３３Ａを示す。図６Ｂは、聴講用端末装置２０Ｃの表示部３３Ｃを示す図である。図６Ｂ（ｄ）は、会議支援装置１０が１番目選択状態にあるときの表示部３３Ｃを示し、図６Ｂ（ｅ）は、会議支援装置１０が１番目２番目同時選択状態にあるときの表示部３３Ｃを示し、図６Ｂ（ｆ）は、会議支援装置１０が２番目選択状態にあるときの表示部３３Ｃを示す。
【００９３】
図６Ａ（ａ）〜図６Ａ（ｃ）、および図６Ｂ（ｄ）〜図６Ｂ（ｆ）に示すように、各表示部３３Ａ，３３Ｃそれぞれには、会議の開始から終了まで（ステップＳ１〜ステップＳ１１）を通して、会議用画像１０００Ａ，１０００Ｃが表示される。会議用画像１０００Ａ，１０００Ｃそれぞれの中に表示される画像は、会議支援装置１０の状態が変化するのに伴って変化する。
【００９４】
会議支援装置１０が１番目選択状態にあるとき、表示部３３Ａには、図６Ａ（ａ）に示すように、会議用画像１０００Ａ中に発表用画像１００Ａが表示され、表示部３３Ｃには、図６Ｂ（ｄ）に示すように、会議用画像１０００Ｃ中に聴講用画像１３０Ｃが表示される。発表用画像１００Ａは、会議支援装置１０が第１状態にあるときにおいて、発表者がプレゼンテーションを行うために操作する画像である。聴講用画像１３０Ｃは、会議支援装置１０が第１状態にあるときにおいて、発表者以外の会議参加者（聴講者）が資料画像を閲覧するための画像である。
【００９５】
本実施形態では、図６Ａ（ａ）に示すように、発表用画像１００Ａの左上隅には、発表用の画像であることを示す「発」の文字が表示され、図６Ｂ（ｄ）に示すように、聴講用画像１３０Ｃの左上隅には、聴講用の画像であることを示す「聴」の文字が表示される。発表用画像１００Ａ中、および聴講用画像１３０Ｃ中には、選択手段４４が選択している１つの順番情報と関連付けられた資料データに基づく画像が表示される。したがって、会議支援装置１０が１番目選択状態にあるとき、発表用画像１００Ａ中、および聴講用画像１３０Ｃ中には、「１」に係る資料画像が表示される。
【００９６】
会議支援装置１０が１番目２番目同時選択状態になると、表示部３３Ａでは、図６Ａ（ｂ）に示すように、会議用画像１０００Ａ中から発表用画像１００Ａが削除され、会議用画像１０００Ａ中に先発表用画像１１０Ａおよび後発表用画像１５０Ａが新たに表示される。先発表用画像１１０Ａは、会議支援装置１０が第２状態にあるときにおいて、先の発表者がプレゼンテーションを行うために操作する画像である。後発表用画像１５０Ａは、会議支援装置１０が第２状態にあるときにおいて、先の発表者と交代した後の発表者がプレゼンテーションを行うために操作する画像である。本実施形態では、先発表用画像１１０Ａの左上隅には、先の発表者が操作するための発表用画像であることを示す「先発」の文字が表示され、後発表用画像１５０Ａの左上隅には、後の発表者が操作するための発表用画像であることを示す「後発」の文字が表示される。
【００９７】
図６Ａ（ｂ）に示す先発表用画像１１０Ａ中には、先のプレゼンテーションに用いられる資料画像が表示される。したがって、会議支援装置１０が１番目２番目同時選択状態にあるとき、先発表用画像１１０Ａ中には、「１」に係る資料画像が表示される。後発表用画像１５０Ａ中には、後のプレゼンテーションに用いられる資料画像が表示される。したがって、会議支援装置１０が１番目２番目同時選択状態にあるとき、後発表用画像１５０Ａ中には、「２」に係る資料画像が表示される。
【００９８】
また、図６Ａ（ｂ）に示すように、会議支援装置１０が１番目２番目同時選択状態にあるとき、会議用画像１０００Ａ中には、先発表用画像選択キー６０Ａと、後発表用画像選択キー６２Ａとが表示される。先発表用画像選択キー６０Ａおよび後発表用画像選択キー６２Ａは、表示部３３Ａに２つ以上表示される資料画像を、選択して閲覧するためのキーである。図６Ａ（ｂ）に示すように、先発表用画像１１０Ａは、後発表用画像１５０Ａよりも前面に表示されているため、閲覧可能である。これに対して、後発表用画像１５０Ａは先発表用画像１１０Ａの背面に表示されているので、閲覧することができない。本実施形態では、このように、１つの資料画像を選択すると該資料画像が閲覧可能になるように、複数の資料画像が表示されているとき、選択閲覧可能に表示されていると称する。本実施形態のように、先発表用画像１１０Ａおよび後発表用画像１５０Ａを選択閲覧可能に表示することで、より利便性の高い会議支援装置を実現することができる。
【００９９】
図６Ａ（ｂ）に示す先発表用画像選択キー６０Ａは、先発表用画像１１０Ａを最前面に表示させるキーである。後発表用画像選択キー６２Ａは、後発表用画像１５０Ａを最前面に表示させるキーである。会議支援装置１０が１番目２番目同時選択状態になった時点では、先発表用画像選択キー６０Ａが選択されている状態であり、先発表用画像１１０Ａが前面に表示されている。この状態から、後発表用画像選択キー６２Ａを選択することで、後発表用画像１５０Ａを前面に表示させることができる。図７Ａは、後発表用画像１５０Ａを前面に表示させたときの表示部３３Ａを示す図である。なお、他の実施形態としては、先発表用画像１１０Ａと後発表用画像１５０Ａとを並列的に表示することによって、選択閲覧可能ではないように表示してもよい。並列的に表示するとは、たとえば、会議用画像１０００Ａを左右に分けて、会議用画像１０００Ａの左側に先発表用画像１１０Ａを表示し、同時に、会議用画像１０００Ａの右側に後発表用画像１５０Ａを表示することである。
【０１００】
会議支援装置１０が１番目２番目同時選択状態になると、表示部３３Ｃでは、図６Ｂ（ｅ）に示すように、会議用画像１０００Ｃ中から聴講用画像１３０Ｃが削除され、会議用画像１０００Ｃ中に先聴講用画像１４０Ｃおよび後聴講用画像１２０Ｃが新たに表示される。先聴講用画像１４０Ｃは、会議支援装置１０が第２状態にあるときにおいて、聴講用端末装置２０Ｂを用いる会議参加者が、先のプレゼンテーションに用いられる資料画像を閲覧するための画像である。後聴講用画像１２０Ｃは、会議支援装置１０が第２状態にあるときにおいて、聴講用端末装置２０Ｂを用いる会議参加者が、後のプレゼンテーションに用いられる資料画像を閲覧するための画像である。本実施形態では、先聴講用画像１４０Ｃの左上隅には、先のプレゼンテーションに用いられる聴講用画像であることを示す「先聴」の文字が表示され、後聴講用画像１２０Ｃの左上隅には、後のプレゼンテーションに用いられる聴講用画像であることを示す「後聴」の文字が表示される。
【０１０１】
図６Ｂ（ｅ）に示す先聴講用画像１４０Ｃ中には、先のプレゼンテーションに用いられる資料画像が表示される。したがって、会議支援装置１０が１番目２番目同時選択状態にあるとき、先聴講用画像１４０Ｃ中には、「１」に係る資料画像が表示される。後聴講用画像１２０Ｃ中には、後のプレゼンテーションに用いられる資料画像が表示される。したがって、会議支援装置１０が１番目２番目同時選択状態にあるとき、後聴講用画像１２０Ｃ中には、「２」に係る資料画像が表示される。
【０１０２】
また、図６Ｂ（ｅ）に示すように、会議支援装置１０が１番目２番目同時選択状態にあるとき、会議用画像１０００Ｃ中には、先聴講用画像選択キー６３Ｃと、後聴講用画像選択キー６１Ｃとが表示される。先聴講用画像選択キー６３Ｃおよび後聴講用画像選択キー６１Ｃは、表示部３３Ｃに２つ以上表示される資料画像を、選択閲覧可能にするためのキーである。
【０１０３】
図６Ｂ（ｅ）に示す先聴講用画像選択キー６３Ｃは、先聴講用画像１４０Ｃを最前面に表示させるキーである。後聴講用画像選択キー６１Ｃは、後聴講用画像１２０Ｃを最前面に表示させるキーである。会議支援装置１０が１番目２番目同時選択状態になった時点では、先聴講用画像選択キー６３Ｃが選択されている状態であり、先聴講用画像１４０Ｃが前面に表示されている。この状態から、後聴講用画像選択キー６１Ｃを選択することで、後聴講用画像１２０Ｃを前面に表示させることができる。図７Ｂは、後聴講用画像１２０Ｃを前面に表示させたときの表示部３３Ｃを示す図である。なお、他の実施形態としては、先聴講用画像１４０Ｃと後聴講用画像１２０Ｃとを並列的に表示することによって、選択閲覧可能ではないように表示してもよい。
【０１０４】
会議支援装置１０が２番目選択状態になると、表示部３３Ａでは、図６Ａ（ｃ）に示すように、会議用画像１０００Ａ中から先発表用画像１１０Ａおよび後発表用画像１５０Ａが削除され、会議用画像１０００Ａ中に発表用画像１００Ａが新たに表示される。なお、会議支援装置１０が２番目選択状態であるので、発表用画像１００Ａ中には、「１」に係る資料画像ではなく、「２」に係る資料画像が表示される。
【０１０５】
会議支援装置１０が２番目選択状態になると、表示部３３Ｃでは、図６Ｂ（ｆ）に示すように、会議用画像１０００Ｃ中から先聴講用画像１４０Ｃおよび後聴講用画像１２０Ｃが削除され、会議用画像１０００Ｃ中に聴講用画像１３０Ｃが新たに表示される。なお、会議支援装置１０が２番目選択状態であるので、聴講用画像１００Ｃ中には、「１」に係る資料画像ではなく、「２」に係る資料画像が表示される。
【０１０６】
以下に、各画像の詳細な構成について説明する。図６Ａ（ａ）に示す発表用画像１００Ａは、画像表示部分１０１Ａと、ページ数表示部分１０２Ａと、資料データ選択キー１０３Ａと、資料データ群選択キー１０４Ａとを含む。画像表示部分１０１Ａは、資料画像を表示する領域であり、後述する資料データ選択キー１０３Ａおよび資料データ群選択キー１０４Ａによって選択された資料データに基づく画像を表示する領域である。なお、はじめに発表用画像１００Ａが表示されるときは、画像表示部分１０１Ａには、資料データ群１の第１ページの資料データに基づく画像が表示されるとする。
【０１０７】
図６Ａ（ａ）に示す資料データ群選択キー１０４Ａは、画像表示部分１０１Ａに表示する資料画像の基となる資料データが属する資料データ群を選択するためのキーである。資料データ群選択キー１０４Ａは、進行リスト（表１）に基づいて表示される。たとえば、順番情報「１」と関連付けられた資料データ群は３つであるので、表示部３３Ａに表示される発表用画像１００Ａ中における資料データ群選択キー１０４Ａは、資料データ群１選択キー１０４Ａａ、資料データ群２選択キー１０４Ａｂ、および資料データ群３選択キー１０４Ａｃの３つとなる。
【０１０８】
図６Ａ（ａ）に示す資料データ選択キー１０３Ａは、資料データ群選択キー１０４Ａによって選択された資料データ群の中において、画像表示部分１０１Ａに表示する資料画像の基となる資料データを選択するためのキーである。資料データ選択キー１０３Ａは、前ページ送りキー１０３Ａａと、後ページ送りキー１０３Ａｂとを含む。前ページ送りキー１０３Ａａは、画像表示部分１０１Ａに表示中の資料画像の基となった資料データより１つ前のページの資料データを選択し、該資料データに基づく画像を画像表示部分１０１Ａに表示させるキーである。後ページ送りキー１０３Ａｂは、画像表示部分１０１Ａに表示中の資料画像の基となった資料データより１つ後のページの資料データを選択し、該資料データに基づく画像を画像表示部分１０１Ａに表示させるキーである。
【０１０９】
図６Ａ（ａ）に示すページ数表示部分１０２Ａは、資料データ群選択キー１０４Ａによって選択された資料データ群の総ページ数と、画像表示部分１０１Ａに表示中の資料画像の基となった資料データのページ番号とを表示する領域である。
【０１１０】
図６Ｂ（ｄ）に示す聴講用画像１３０Ｃは、画像表示部分１３１Ｃと、ページ数表示部分１３２Ｃとを含む。画像表示部分１３１Ｃは、同時期における発表用画像１００Ａの画像表示部分１０１Ａと同一の資料画像を表示する領域である。ページ数表示部分１３２Ｃは、同時期における発表用画像１００Ａのページ数表示部分１０２Ａと同一のページ数を表示する領域である。すなわち、聴講用画像１３０Ｃは、同時期における発表用画像１００Ａに連動している。したがって、発表用画像１００Ａの資料データ群選択キー１０４Ａおよび資料データ選択キー１０３Ａは、画像変更指示受信信号を会議支援装置１０に送信するためのキーとなる。
【０１１１】
なお、すべての聴講用画像が同時期における発表用画像に連動するのと同様に、すべての先聴講用画像は、同時期における先発表用画像に連動する。また、すべての後聴講用画像は、同時期における後発表用画像に連動する。
【０１１２】
図６Ａ（ｂ）に示す先発表用画像１１０Ａは、１番目２番目同時選択状態において表示される画像であること以外は、発表用画像１００Ａと同一の機能を有する。すなわち、先発表用画像１１０Ａは、画像表示部分１１１Ａ、ページ数表示部分１１２Ａ、資料データ選択キー１１３Ａ、および資料データ群選択キー１１４Ａを含んでおり、それぞれの機能は、画像表示部分１０１Ａ、ページ数表示部分１０２Ａ、資料データ選択キー１０３Ａ、および資料データ群選択キー１０４Ａの機能と同一である。
【０１１３】
図６Ｂ（ｅ）に示す先聴講用画像１４０Ｃは、１番目２番目同時選択状態において表示され、先発表用画像１１０Ａに連動する画像であること以外は、聴講用画像１３０Ｃと同一の機能を有する。すなわち、先聴講用画像１４０Ｃは、画像表示部分１４１Ｃ、およびページ数表示部分１４２Ｃを含んでおり、それぞれの機能は、画像表示部分１３１Ｃ、およびページ数表示部分１３２Ｃの機能と同一である。
【０１１４】
図７Ａに示す後発表用画像１５０Ａは、１番目２番目同時選択状態において表示される画像であること以外は、発表用画像１００Ａと同一の機能を有する。すなわち、後発表用画像１５０Ａは、画像表示部分１５１Ａ、ページ数表示部分１５２Ａ、資料データ選択キー１５３Ａ、および資料データ群選択キー１５４Ａを含んでおり、それぞれの機能は、画像表示部分１０１Ａ、ページ数表示部分１０２Ａ、資料データ選択キー１０３Ａ、および資料データ群選択キー１０４Ａの機能と同一である。
【０１１５】
図７Ｂに示す後聴講用画像１２０Ｃは、１番目２番目同時選択状態において表示され、後発表用画像１５０Ａに連動する画像であること以外は、聴講用画像１３０Ｃと同一の機能を有する。すなわち、後聴講用画像１２０Ｃは、画像表示部分１２１Ｃ、およびページ数表示部分１２２Ｃを含んでおり、それぞれの機能は、画像表示部分１３１Ｃ、およびページ数表示部分１３２Ｃの機能と同一である。
【０１１６】
会議支援装置１０の資料画像表示手段４２が、上記のような画像を各表示部３３Ａ，３３Ｃに表示させるとき、会議参加者Ａは、まず、発表用端末装置２０Ａに表示される発表用画像１００Ａを用いてプレゼンテーションを行うことになる。このとき、聴講者である会議参加者Ｂおよび会議参加者Ｃは、それぞれの聴講用端末装置２０Ｂにおいて、聴講用画像を閲覧して会議に参加する。はじめは、会議支援装置１０は１番目選択状態にある。会議参加者Ａが、資料データ選択キー１０３Ａや資料データ群選択キー１０４Ａを選択することで、会議支援装置１０に画像変更指示信号が送信され、プレゼンテーションが進む。プレゼンテーションが進み、第１変更手段４７がプレゼンテーションの終期に達したと判定すると、会議支援装置１０は１番目選択状態から１番目２番目同時選択状態へとなる。本実施形態では、会議参加者Ａが最終ページの資料データに基づく画像を表示させるための画像変更指示信号を送信したときに、第１変更手段４７はプレゼンテーションの終期に達したと判定する。
【０１１７】
会議支援装置１０が１番目２番目同時選択状態となると、表示部３３Ａには、先発表用画像１１０Ａが表示される。また、聴講用端末装置２０Ｂの表示部３３Ｂには、先聴講用画像が表示される。会議参加者Ａは、プレゼンテーションの終了まで、先発表用画像１１０Ａを用いてプレゼンテーションを行うことになる。このとき、会議参加者Ｂおよび会議参加者Ｃはそれぞれ、先聴講用画像を閲覧して会議に参加する。
【０１１８】
また、会議支援装置１０が１番目２番目同時選択状態となると、表示部３３Ａには、後発表用画像１５０Ａが表示され、予め定める端末装置２０（共存表示端末装置）である聴講用端末装置２０Ｃの表示部３３Ｃには、後聴講用画像１２０Ｃが表示される。会議参加者Ｃは後聴講用画像１２０Ｃを閲覧することにより、先のプレゼンテーションが行われている際に、後のプレゼンテーションの内容を確認することができる。
【０１１９】
会議参加者Ａは、プレゼンテーションが終了すると、先発表用画像１１０Ａを操作することを止め、後の発表者である会議参加者Ｂと交代する。すなわち、会議参加者Ｂは発表用端末装置２０Ａを用いる発表者となり、会議参加者Ａは自身の聴講用端末装置２０Ｂを用いる聴講者となる。発表者となった会議参加者Ｂは、後発表用画像１５０Ａを用いて、プレゼンテーションを開始する。会議参加者Ａおよび会議参加者Ｃはそれぞれ、後発表用画像１５０Ａに連動する後聴講用画像を閲覧して会議に参加する。なお、予め定める端末装置２０（共存表示端末装置）である聴講用端末装置２０Ｃを用いる会議参加者Ｃは、先聴講用画像１４０Ｃを閲覧することにより、後のプレゼンテーションが行われている際に、先のプレゼンテーションの内容を確認することができる。
【０１２０】
会議参加者Ｂによるプレゼンテーションが進み、第２変更手段４８がプレゼンテーションの始期が過ぎたと判定すると、会議支援装置１０は１番目２番目同時選択状態から２番目選択状態へとなる。本実施形態では、会議参加者Ｂが第２ページの資料データに基づく画像を表示させるための画像変更指示信号を送信したときに、第２変更手段４８はプレゼンテーションの始期が過ぎたと判定する。
【０１２１】
会議支援装置１０が２番目選択状態となると、表示部３３Ａには、発表用画像１００Ａが表示される。また、表示部３３Ｃには、聴講用画像１３０Ｃが表示される。その後は、会議参加者Ａによるプレゼンテーションと同様にして、会議が進行する。
【０１２２】
このように、会議支援装置１０によれば、発表者の交代における資料画像の切替えに要する時間を短縮することができ、会議を円滑に進行させることができる。また、本実施形態では、端末装置２０を用いるすべての会議参加者が、先のプレゼンテーションが行われている際に後のプレゼンテーションの資料画像を閲覧でき、また、後のプレゼンテーションが行われている際に先のプレゼンテーションの資料画像を閲覧できる。
【０１２３】
上述したように、第１変更手段４７は、会議支援装置１０が第１状態であるときに、表示中の資料画像に係るプレゼンテーションの終期に達したか否かの判定（終期判定処理）を行い、達したと判定したときに会議支援装置１０を第２状態に切り替える。以下に、第１変更手段４７による終期判定処理について説明する。
【０１２４】
本実施形態では、第１変更手段４７は、第１表示数判定手段を含む。第１表示数判定手段は、資料画像表示手段４２が発表用端末装置２０Ａの表示部３３Ａに画像を表示させた資料データの数を判定する手段である。より詳細には、第１表示数判定手段は、選択順番情報として選択されている順番情報と関連付けられた資料データのうち、資料画像表示手段４２が表示部３３Ａに画像を表示させた資料データの数を判定する。たとえば、「１」に係る資料データ群のうち、資料データ群１「a.ppt」が第３ページまで表示され、資料データ群２「b.xls」が第５ページまで表示され、資料データ群３「c.pdf」が第４ページまで表示されたとき、第１表示数判定手段は、表示された資料データの数は、計１２であると判定する。
【０１２５】
第１変更手段４７は、終期判定処理として、まず、資料データ記憶手段４１に記憶される資料データ群に基づいて、選択順番情報として選択された順番情報に関連付けられた資料データの総数（総ページ数）を算出する。次に、第１変更手段４７は、資料データの総数から、第１表示数判定手段によって判定された値を減算して、残りデータ数として算出する。そして、第１変更手段４７は、残りデータ数が予め定める閾値以下であるときに、選択順番情報として選択された順番情報に関連付けられた資料データのうち、表示部３３Ａに表示させていない資料画像を表示させる画像変更指示を受けると、プレゼンテーションの終期に達したと判定する。
【０１２６】
なお、本実施形態では、予め定める閾値は１である。したがって、たとえば、「１」に係る資料データ群のうち、資料データ群１「a.ppt」が全１５ページ中の第１４ページまで表示され、資料データ群２「b.xls」および資料データ群３「c.pdf」がすべて表示されたときは、残りデータ数は１の状態となる。よって、この状態において、後ページ送りキー１０３Ａｂを押下して、最終ページ（第１５ページ）の資料データに基づく画像を表示させる画像変更指示信号を送信すると、上述したように、会議支援装置１０は１番目選択状態から１番目２番目同時選択状態に切り替わる。
【０１２７】
他の実施形態としては、第１変更手段４７は、さらに、第１表示時間判定手段を備えてもよい。第１表示時間判定手段は、資料画像表示手段４２が資料データに基づく画像を各発表用端末装置２０Ａの表示部３３Ａに表示させていた時間を判定する手段である。より詳細には、第１表示時間判定手段は、選択順番情報として選択されている順番情報と関連付けられた資料データを、資料画像表示手段４２が表示部３３Ａに表示させていた時間を判定する。
【０１２８】
このような他の実施形態では、第１変更手段４７は、終期判定処理として、第１表示時間判定手段によって判定された値と、上記第１表示数判定手段によって判定された値とから、未だ表示していない残りの資料画像をすべて表示するのにかかる予想時間を算出し、算出した値が予め定める閾値以下となったときに、プレゼンテーションの終期に達したと判定する。予め定める閾値は、たとえば、５分間〜１０分間である。予想時間は、たとえば、資料データ群の第１ページの資料データに基づく画像を表示させていた時間に、残りデータ数を乗算したものであってもよいし、以下に説明する平均表示時間に残りデータ数を乗算したものであってもよい。
【０１２９】
上記他の実施形態において、第１変更手段４７は、たとえば、資料データ群を構成する資料データのうちの半数の資料データに基づく画像を表示させていた総時間を、該半数の値で除算して、平均表示時間を算出する。なお、プレゼンテーションに用いられる資料データ群が複数ある場合、資料データ群によって進行する速度が異なるので、第１変更手段４７は、資料データ群ごとに予想時間を算出して、すべての予想時間の合計値が予め定める閾値以下となったときに、プレゼンテーションの終期に達したと判定することが好ましい。このとき、上記平均表示時間も、資料データ群ごとに算出する。
【０１３０】
上述したように、第２変更手段４８は、会議支援装置１０が第２状態であるときに、後のプレゼンテーションの始期が過ぎたか否かの判定（始期判定処理）を行い、過ぎたと判定したときに会議支援装置１０を第１状態に切り替える。以下に、第２変更手段４８による始期判定処理について説明する。
【０１３１】
本実施形態では、第２変更手段４８は、第２表示数判定手段を含む。第２表示数判定手段は、資料画像表示手段４２が発表用端末装置２０Ａの表示部３３Ａに画像を表示させた資料データの数を判定する手段である。より詳細には、第２表示数判定手段は、後の選択順番情報として選択されている順番情報と関連付けられた資料データのうち、資料画像表示手段４２が表示部３３Ａに画像を表示させた資料データの数を判定する。
【０１３２】
第２変更手段４８は、始期判定処理として、第２表示数判定手段によって判定された値が予め定める閾値以上であるときに、後の選択順番情報として選択された順番情報に関連付けられた資料データのうち、表示部３３Ａに表示させていない資料画像を表示させる画像変更指示を受けると、プレゼンテーションの始期が過ぎたと判定する。
【０１３３】
なお、本実施形態では、予め定める閾値は１である。したがって、たとえば、会議支援装置１０が１番目２番目同時選択状態にあるときに、「２」に係る資料データ群の第１ページの資料データに基づく画像が表示部３３Ａに表示されているとき、閾値以上の状態である。よって、この状態において、資料データ選択キー１５３Ａを押下して、第１ページ以外のページの資料データに基づく画像を表示させる画像変更指示信号を送信すると、上述したように、会議支援装置１０は１番目２番目同時選択状態から２番目選択状態に切り替わる。
【０１３４】
他の実施形態として、第２変更手段４８は、会議支援装置１０が第２状態となった時点から予め定める時間経過したときに、後のプレゼンテーションの始期が過ぎたと判定するように構成されてもよい。
【０１３５】
会議支援装置１０は、通知手段をさらに備えてもよい。通知手段は、会議支援装置１０が第２状態にあるときに、選択手段４４がプレゼンテーションの行われる順番の中の連続する２つの順番に対応する順番情報を選択している状態（第２状態）にあるときに、該２つの順番のうちの後の順番に対応する順番情報と関連付けられた資料データ以外の資料データに基づく画像を表示している表示部３３を備える聴講用端末装置２０Ｂに対して、予め定める通知を行う手段である。図８は、通知手段によるメッセージ８０が表示された表示部３３Ｃを示す図である。本実施形態では、通知手段は、会議支援装置１０が１番目２番目同時選択状態となった時点から、予め定める時間経過後、先聴講用画像１４０Ｃ中に、「次の発表者の資料をご覧ください。」というメッセージ８０を表示させる。予め定める時間は、会議支援装置１０が１番目２番目同時選択状態となってから先のプレゼンテーションが終了するまでにかかる予想時間であり、たとえば、５分間〜１０分間である。他の実施形態として、通知手段は、発表用端末装置２０Ａの表示部３３Ａに表示される会議用画像１０００Ａ中に、後の発表者がプレゼンテーションを行う直前に押下するキーである発表開始キーを表示させ、該発表開始キーが押下された時点で、先聴講用画像１４０Ｃ中に上記メッセージを表示させるように構成されてもよい。
【０１３６】
次に、会議支援装置１０の第１変形例について、図９Ａ、および図９Ｂを用いて説明する。図９Ａは、第１実施形態の第１変形例において、１番目２番目同時選択状態における発表用端末装置２０Ａの表示部３３Ａを示す図である。図９Ａ（ａ）は、後述する発表開始キー７０が押下される前における表示部３３Ａを示し、図９Ａ（ｂ）は、後述する発表開始キー７０が押下された後における表示部３３Ａを示す。図９Ｂは、第１実施形態の第１変形例において、１番目２番目同時選択状態における聴講用端末装置２０Ｃの表示部３３Ｃを示す図である。図９Ｂ（ｃ）は、後述する発表開始キー７０が押下される前における表示部３３Ｃを示し、図９Ｂ（ｄ）は、後述する発表開始キー７０が押下された後における表示部３３Ｃを示す。
【０１３７】
第１変形例では、予め定める端末装置２０（共存表示端末装置）として設定されるのは発表用端末装置２０Ａのみである。したがって、会議支援装置１０が１番目２番目同時選択状態にあるとき、発表用端末装置２０Ａの表示部３３Ａに表示される会議用画像１０００Ａ中にのみ、２つの資料画像が表示される。第１変形例において、会議支援装置１０が１番目選択状態または２番目選択状態のときに各表示部３３Ａ，３３Ｃに表示される画像は、基本例において、会議支援装置１０が１番目選択状態または２番目選択状態のときに各表示部３３Ａ，３３Ｃに表示される画像と同一であるので、説明は省略する。また、同一の参照符号を付した手段または画像は、同一の機能を有するので、説明は省略する。
【０１３８】
会議支援装置１０が１番目２番目同時選択状態になると、表示部３３Ａでは、図９Ａ（ａ）に示すように、会議用画像１０００Ａ中から発表用画像１００Ａが削除され、会議用画像１０００Ａ中に先発表用画像１１０Ａおよび後発表用画像１５０Ａが表示される。また、このとき、会議用画像１０００Ａ中に、先発表用画像選択キー６０Ａおよび後発表用画像選択キー６２Ａが表示される。さらに、このとき、基本例とは異なり、会議用画像１０００Ａ中に、発表開始キー７０が表示される。なお、本第１変形例では、聴講用端末装置２０Ｂはすべて予め定める端末装置２０（共存表示端末装置）としては設定されていないけれども、少なくとも１つ以上の聴講用端末装置２０Ｂが共存表示端末装置として設定されていない変形例の場合でも、会議用画像１０００Ａ中に発表開始キー７０が表示されるように、会議支援装置１０を構成してもよい。
【０１３９】
会議支援装置１０が１番目２番目同時選択状態になると、表示部３３Ｃでは、図９Ｂ（ｃ）に示すように、会議用画像１０００Ｃ中から聴講用画像１３０Ｃが削除され、会議用画像１０００Ｃ中に先聴講用画像１４０Ｃが表示される。このとき、基本例とは異なり、会議用画像１０００Ｃ中には、後聴講用画像１２０Ｃが表示されない。また、このとき、会議用画像１０００Ｃ中に、１つの資料画像しか表示されないので、先聴講用画像選択キー６３Ｃおよび後聴講用画像選択キー６１Ｃも表示されない。
【０１４０】
図９Ｂ（ｃ）に示す発表開始キー７０は、後の発表者がプレゼンテーションを行う直前に押下するキーである。先の発表者である会議参加者Ａの発表が終了した時点では、表示部３３Ｃには、先聴講用画像１４０Ｃしか表示されていない。後の発表者である会議参加者Ｂが、発表開始キー７０を押下することで、図９Ｂ（ｄ）に示すように、先聴講用画像１４０Ｃを、後聴講用画像１２０Ｃに変更させることができる。したがって、発表開始キー７０は、画像変更指示信号を送信するためのキーである。また、発表開始キー７０が押下されると、図９Ａ（ｂ）に示すように、会議用画像１０００Ａ中から該発表開始キー７０が削除され、後発表用画像１５０Ａが最前面に表示される。
【０１４１】
図９Ｂ（ｃ）に示す発表開始キー７０が押下されたとき、後聴講用画像１２０Ｃ中には、たとえば、後の発表に用いられる資料データ群１の、第１ページに基づく画像が表示される。なお、発表開始キー７０が押下されるまでは、後発表用画像１５０Ａの、資料データ群選択キー１５４Ａや資料データ選択キー１５３Ａが押下されても、画像変更指示信号は送信されず、画像表示部分１５１Ａに表示される画像のみが変更されるように構成することが好ましい。これによって、会議参加者Ｂは、自身のプレゼンテーションの開始直前に、自身のプレゼンテーションに用いるすべての資料画像を確認することができる。
【０１４２】
会議参加者Ｂは、発表開始キー７０を押下した後、後発表用画像１５０Ａを用いてプレゼンテーションを進めることになる。その後、第２変更手段４８が、会議参加者Ｂによるプレゼンテーションの始期が過ぎたと判定すると、会議支援装置１０を１番目２番目同時選択状態から２番目選択状態へ切り替える。
【０１４３】
このように、会議支援装置１０の第１変形例では、１番目２番目同時選択状態において、先のプレゼンテーションに用いられる資料画像および後のプレゼンテーションに用いられる資料画像の両画像が同時に表示されるのは、発表用端末装置２０Ａの表示部３３Ａのみである。したがって、発表者の交代における資料画像の切替えに要する時間を短縮することができ、かつ、他の会議参加者は、進行中のプレゼンテーションに集中することができる。
【０１４４】
次に、会議支援装置１０の第２変形例について、図１０を用いて説明する。図１０は、第１実施形態の第２変形例において、１番目２番目同時選択状態における聴講用端末装置２０Ｃの表示部３３Ｃを示す図である。
【０１４５】
第２変形例では、資料画像表示手段４２が、先のプレゼンテーションに用いられる資料画像および後のプレゼンテーションに用いられる資料画像以外の資料画像を、予め定める端末装置２０（以下、「任意画像表示端末装置」と称する場合がある）の表示部３３に表示させる。本第２変形例では、予め定める端末装置２０（任意画像表示端末装置）は、以下に説明するように、聴講用端末装置２０Ｃであるけれども、すべての端末装置２０であってもよい。任意画像表示端末装置である聴講用端末装置２０Ｃの表示部３３Ｃには、後述する任意閲覧用画像１６０Ｃが表示される。任意画像表示端末装置ではない発表用端末装置２０Ａの表示部３３Ａに表示される画像は、第１実施形態のときと同一であるので、説明は省略する。また、第２変形例において、会議支援装置１０が１番目選択状態または２番目選択状態のときに表示部３３Ａ，３３Ｃに表示される画像は、基本例のときと同一であるので、説明は省略する。また、同一の参照符号を付した手段または画像は、同一の機能を有するので、説明は省略する。
【０１４６】
会議支援装置１０が１番目２番目同時選択状態になると、表示部３３Ｃでは、図１０（ａ）に示すように、会議用画像１０００Ｃ中から聴講用画像１３０Ｃが削除され、会議用画像１０００Ｃ中に先聴講用画像１４０Ｃ、後聴講用画像１２０Ｃ、および任意閲覧用画像１６０Ｃが新たに表示される。基本例と異なる点は、任意閲覧用画像１６０Ｃが表示されることである。
【０１４７】
図１０（ａ）に示す任意閲覧用画像１６０Ｃは、会議支援装置１０が第２状態にあるときにおいて、会議に用いられるすべての資料データの中から会議参加者Ｃが任意に選択した資料データに基づく画像を含む画像である。本実施形態では、任意閲覧用画像１６０Ｃの左上隅には、任意閲覧用の画像であることを示す「任」の文字が表示される。
【０１４８】
また、図１０（ａ）に示すように、会議支援装置１０が１番目２番目同時選択状態にあるとき、表示部３３Ｃにおける会議用画像１０００Ｃ中には、先聴講用画像選択キー６３Ｃと、後聴講用画像選択キー６１Ｃと、任意閲覧用画像選択キー６４Ｃと、順番表示部分６５Ｃと、順番選択キー６６Ｃとが表示される。任意閲覧用画像選択キー６４Ｃは、任意閲覧用画像１６０Ｃを最前面に表示させるキーである。会議支援装置１０が１番目２番目同時選択状態になった時点では、先聴講用画像選択キー６３Ｃが選択されている状態であり、先聴講用画像１４０Ｃが最前面に表示され、任意閲覧用画像１６０Ｃは最背面に表示される。この状態から、任意閲覧用画像選択キー６４Ｃを選択することで、図１０（ｂ）に示すように、任意閲覧用画像１６０Ｃを最前面に表示させることができる。
【０１４９】
図１０（ａ）に示す順番表示部分６５Ｃは、任意閲覧用画像１６０Ｃ中に表示される資料画像の基となる資料データと関連付けられた順番番号が表示される領域である。本実施形態では、会議支援装置１０が１番目２番目同時選択状態となった時点において、先のプレゼンテーションの順番番号および後のプレゼンテーションの順番番号のいずれでもない順番番号「３」が表示され、任意閲覧用画像１６０Ｃ中には、順番番号「３」と関連付けられた資料画像が表示される。
【０１５０】
図１０（ａ）に示す順番選択キー６６Ｃは、前順番選択キー６６Ｃａと、後順番選択キー６６Ｃｂとを含む。前順番選択キー６６Ｃａは、任意閲覧用画像１６０Ｃ中に表示中の資料画像と関連付けられた順番情報よりも１つ前の順番情報に関連付けられた資料画像を表示させるためのキーである。後順番選択キー６６Ｃｂは、任意閲覧用画像１６０Ｃ中に表示中の資料画像と関連付けられた順番情報よりも１つ後の順番情報に関連付けられた資料画像を表示させるためのキーである。表示部３３Ｃは、後順番選択キー６６Ｃｂが押下されると、図１０（ｃ）に示すように、任意閲覧用画像１６０Ｃ中に順番番号「４」と関連付けられた資料画像を表示する。
【０１５１】
図１０（ｂ）に示す任意閲覧用画像１６０Ｃは、画像表示部分１６１Ｃと、ページ数表示部分１６２Ｃと、資料データ選択キー１６３Ｃと、資料データ群選択キー１６４Ｃとを含む。画像表示部分１６１Ｃは、資料画像を表示する領域であり、後述する資料データ選択キー１６３Ｃおよび資料データ群選択キー１６４Ｃによって選択された資料データに基づく画像を表示する領域である。なお、はじめに任意閲覧用画像１６０Ｃが表示されるときは、画像表示部分１６１Ｃには、資料データ群１の第１ページの資料データに基づく画像が表示されるとする。
【０１５２】
図１０（ｂ）に示す資料データ群選択キー１６４Ｃは、画像表示部分１６１Ｃに表示する資料画像の基となる資料データが属する資料データ群を選択するためのキーである。資料データ群選択キー１６４Ｃは、進行リスト（表１）に基づいて表示される。たとえば、図１０（ｂ）において、順番表示部分６５Ｃに表示中の順番番号「３」と関連付けられた資料データ群は１つであるので、表示部３３Ｃに表示される任意閲覧用画像１６０Ｃ中における資料データ群選択キー１６４Ｃも１つである。また、たとえば、図１０（ｃ）において、順番表示部分６５Ｃに表示中の順番番号「４」と関連付けられた資料データ群は４つであるので、表示部３３Ｃに表示される任意閲覧用画像１６０Ｃ中における資料データ群選択キー１６４Ｃは、資料データ群１選択キー１６４Ｃａ、資料データ群２選択キー１６４Ｃｂ、資料データ群３選択キー１６４Ｃｃ、および資料データ群４選択キー１６４Ｃｄの４つとなる。
【０１５３】
図１０（ｂ）に示す資料データ選択キー１６３Ｃは、資料データ群選択キー１６４Ｃによって選択された資料データ群の中において、画像表示部分１６１Ｃに表示する資料画像の基となる資料データを選択するためのキーである。資料データ選択キー１６３Ｃは、前ページ送りキー１６３Ｃａと、後ページ送りキー１６３Ｃｂとを含む。前ページ送りキー１６３Ｃａは、画像表示部分１６１Ｃに表示中の資料画像の基となった資料データより１つ前のページの資料データを選択し、該資料データに基づく画像を画像表示部分１６１Ｃに表示させるキーである。後ページ送りキー１６３Ｃｂは、画像表示部分１６１Ｃに表示中の資料画像の基となった資料データより１つ後のページの資料データを選択し、該資料データに基づく画像を画像表示部分１６１Ｃに表示させるキーである。
【０１５４】
図１０（ｂ）に示すページ数表示部分１６２Ｃは、資料データ群選択キー１６４Ｃによって選択された資料データ群の総ページ数と、画像表示部分１６１Ｃに表示中の資料画像の基となった資料データのページ番号とを表示する領域である。
【０１５５】
このように、会議支援装置１０が１番目２番目同時選択状態にあるとき、予め定める端末装置２０（任意画像表示端末装置）である聴講用端末装置２０Ｃの表示部３３Ｃに表示される会議用画像１０００Ｃ中には、任意閲覧用画像１６０Ｃが表示される。会議参加者Ｃは、任意閲覧用画像１６０Ｃによって、会議に用いられるいずれの資料画像も任意に閲覧することができる。したがって、第２変形例によれば、より利便性の高い会議支援装置１０を提供できる。
【０１５６】
なお、第２変形例において、会議支援装置１０が１番目２番目同時選択状態にあるとき、一時記憶部２は、会議に用いられるすべての資料データに基づく画像を表示させるための各画像データを記憶している。したがって、資料画像表示手段４２は、いずれの資料画像であっても、順番選択キー６６Ｃ、資料データ選択キー１６３Ｃ、または資料データ群選択キー１６４Ｃが押下された後、直ちに任意閲覧用画像１６０Ｃ中に表示させることができる。
【０１５７】
次に、本発明に係るプレゼンテーション支援システムの第２実施形態について説明する。本発明に係るプレゼンテーション支援システムの第２実施形態である会議支援システム２２０は、本発明に係るプレゼンテーション支援装置の第２実施形態である会議支援装置２１０と端末装置２０とを含む。図１１は、会議支援システム２２０の構成を示すブロック図である。会議支援システム２２０は、会議支援装置２１０、および会議支援装置２１０とデータ通信を行う複数の端末装置２０を備える。本実施形態では、上述した第１実施形態とは異なり、各端末装置２０は、発表用端末装置２０Ａ、または聴講用端末装置２０Ｂとして予め設定されてはいない。本実施形態では、後述する端末選定手段２４９によって、後述する進行リストに基づいて、発表者の用いる端末装置２０が「発表用端末装置」として設定され、聴講者の用いる端末装置２０が「聴講用端末装置」として設定される。したがって、本実施形態では、会議の進行度合いによって、「発表用端末装置」が切り替わる。
【０１５８】
会議支援装置２１０および端末装置２０は、ＬＡＮ（Local Area Network）やＷＡＮ（
Wide Area Network）などのＩＰ（Internet Protocol）ネットワーク４０を介して相互にデータ通信可能に接続される。会議支援装置２１０および端末装置２０は、ＩＰネットワーク４０を介して、たとえば、Ｈ．３２３、Ｔ．１２０、ＳＩＰ（Session Initiation 
Protocol）、ＨＴＴＰ（Hyper Text Transfer Protocol）などの通信プロトコルに従って、音声信号や映像信号などの各種の信号の送受信を行なう。なお、会議支援装置２１０および端末装置２０は、これらの通信プロトコルを適宜組み合わせて利用してもよい。
【０１５９】
本実施形態では、会議支援システム２２０は、会議支援装置２１０および端末装置２０が、ＩＰネットワーク４０を介して相互にデータ通信可能に接続されるけれども、他の実施形態としては、複数の端末装置２０それぞれはデータ通信可能に接続されておらず、各端末装置２０それぞれが会議支援装置２１０と１対１通信を行なうように接続されてもよい。また、他の実施形態として、１つの端末装置２０が会議支援装置２１０の機能を備え、この端末装置２０を親機とし、他の端末装置２０（子機）それぞれが親機と１対１通信できるように接続されてもよい。
【０１６０】
本実施形態において、会議支援システム２２０は、たとえば、同一の会議に参加する会議参加者の用いる端末装置２０がすべて同一の部屋に設置されているものとする。すなわち、同一の会議に参加する会議参加者の人数分の端末装置２０が同一の部屋に用意されており、各会議参加者はそれぞれ１つの端末装置２０を用いて会議に参加する。そして、発表者は、自身が使用する端末装置２０に、自身の資料画像を表示させて、プレゼンテーションを行う。各聴講者は、自身が使用する端末装置２０に、発表者の用いる端末装置２０に表示される資料画像と同一の資料画像を表示させつつ、発表者の説明を聞き、会議を進める。
【０１６１】
他の実施形態の会議支援システムとしては、端末装置２０は必ずしも同一の部屋に設置される必要は無く、離れた拠点に設置されてもよい。このような、他の実施形態における会議支援システムは、離れた拠点間での遠隔会議に用いることができる。
【０１６２】
端末装置２０の構成については、上述したので説明を省略する。なお、本実施形態においては、認証部２４は、会議支援装置２１０に対して認証を行う。
【０１６３】
次に、本発明に係る会議支援装置２１０について説明する。会議支援装置２１０の構成は、図３に示す会議支援装置１０の構成と同様であるので、説明を省略する。なお、本実施形態においては、会議支援装置２１０の記憶部は、後述する各種手段を実現するためプレゼンテーション支援プログラムを記憶する。また、記憶部は、進行リストとして、各資料データ（各資料データ群）と、各プレゼンテーションが行われる順番にそれぞれ対応する順番情報と、各端末装置２０を識別するための端末情報とを関連付けたリストを記憶する。
【０１６４】
上記のように構成される会議支援装置２１０によって実現される機能について説明する。図１２は、会議支援装置２１０によって実現される機能を示すブロック図である。会議支援装置２１０は、会議支援装置２１０の制御部がプレゼンテーション支援プログラムを会議支援装置２１０の一時記憶部に読み出して実行することにより、資料データ記憶手段２４１、資料画像表示手段２４２、進行リスト記憶手段２４３、選択手段２４４、画像変更指示受信手段２４５、画像変更手段２４６、第１変更手段２４７、第２変更手段２４８、端末選定手段２４９、および共存表示端末設定手段２５０を実現する。なお、会議支援装置２１０は、上記各種手段と等価な働きをするハードウェアによって構成されてもよい。
【０１６５】
資料データ記憶手段２４１は、複数のプレゼンテーションに対応した複数の資料データを記憶する機能を有する。進行リスト記憶手段２４３は、進行リストを記憶する機能を有する。上述したように、進行リストは、各資料データ（各資料データ群）と、各プレゼンテーションが行われる順番にそれぞれ対応する順番情報と、各端末装置２０を識別するための端末情報とを関連付けたリストである。
【０１６６】
選択手段２４４は、進行リストに基づき、プレゼンテーションの行われる順番のとおりに、前記順番情報のうちの、いずれか１つの順番情報、またはプレゼンテーションの行われる順番の中の連続する２つの順番に対応する順番情報を、選択する機能を有する。以下では、選択手段２４４によって選択された順番情報のことを、「選択順番情報」と称する場合がある。
【０１６７】
第１変更手段２４７は、選択手段２４４が１つの順番情報を選択している状態（以下、「第１状態」と称する場合がある）にあるときに、進行リストに基づいて、選択手段２４４を、該１つの順番情報と、該１つの順番情報が示す順番の次の順番に対応する順番情報とを選択している状態（以下、「第２状態」と称する場合がある）へ切り替えるように制御する機能を有する。
【０１６８】
第２変更手段２４８は、選択手段２４４がプレゼンテーションの行われる順番の中の連続する２つの順番に対応する順番情報を選択している状態（第２状態）にあるときに、進行リストに基づいて、選択手段２４４を、該２つの順番のうちの、後の順番に対応する順番情報を選択している状態へ切り替えるように制御する機能を有する。
【０１６９】
端末選定手段２４９は、選択手段２４４によって選択された順番情報に関連付けられた端末情報によって識別される端末装置２０を「発表用端末装置」とし、該端末情報以外の端末情報によって識別される端末装置２０を「聴講用端末装置」とするように設定する。したがって、会議支援装置２１０が第１状態にあるときは、１つの端末装置２０が「発表用端末装置」として設定され、第２状態にあるときは、２つの端末装置２０が「発表用端末装置」として設定される。
【０１７０】
資料画像表示手段２４２は、各資料データに基づく画像を、各端末装置２０の各表示部３３に表示させる機能を有する。また、資料画像表示手段２４２は、選択手段２４４が１つの順番情報を選択している状態（第１状態）にあるときには、該１つの順番情報と関連付けられた資料データに基づく画像を、各端末装置２０の各表示部３３に表示させる機能を有する。また、資料画像表示手段２４２は、選択手段２４４がプレゼンテーションの行われる順番の中の連続する２つの順番に対応する順番情報を選択している状態（第２状態）にあるときには、該２つの順番に対応する順番情報とそれぞれ関連付けられた２つの資料データにそれぞれ基づく２つの画像を、予め定める端末装置２０（以下では、「共存表示端末装置」と称する場合がある）の表示部３３に表示させる機能を有する。
【０１７１】
共存表示端末設定手段２５０は、進行リストに基づいて、会議支援装置２１０に接続される複数の端末装置２０の中から選択した端末装置２０を、「共存表示端末装置」に設定する。会議支援装置２１０が第２状態にあるとき、共存表示端末設定手段２５０は、選択手段４４が選択している２つの順番のうちの、後の順番に対応する順番情報に関連付けられた端末情報によって識別される端末装置２０を、少なくとも「共存表示端末装置」として設定する。
【０１７２】
画像変更指示受信手段２４５は、「発表用端末装置」として設定された端末装置２０の操作部３５を介して該端末装置２０に入力された画像変更指示に基づく信号を、該端末装置２０から受信する機能を有する。
【０１７３】
画像変更手段２４６は、画像変更指示に基づく信号に基づいて、資料画像表示手段２４２が各表示部３３に表示させている画像を、該画像の基となった資料データとは異なる資料データに基づく画像に変更するように、資料画像表示手段２４２を制御する機能を有する。
【０１７４】
以下に、会議支援装置２１０の上記各種手段による会議進行処理を説明する。図１３は、第２実施形態における会議進行処理を示すフローチャートである。会議支援装置２１０は、会議進行処理のステップＡ１として、すべての端末装置２０の表示部３３に、最初の発表（プレゼンテーション）に係る資料画像を表示させる。会議支援装置２１０は、ステップＡ１の後、会議進行処理をステップＡ２へ進める。
【０１７５】
より詳細には、会議支援装置２１０は、複数の端末装置２０のいずれかから会議開始の指示を受けることで、会議進行処理を開始する。会議進行処理を開始すると、会議支援装置２１０は、まず、選択手段２４４によって、進行リスト記憶手段２４３に記憶される進行リストに基づいて、複数の端末装置２０の中で最も先の順番に対応する順番情報を選択する。１つの順番情報を選択した後、会議支援装置２１０は、資料画像表示手段２４２によって、進行リストに基づいて、該順番情報と関連付けられた資料データ群を構成する資料データの１つに基づく画像を、各端末装置２０の各表示部３３に表示させる。また、会議支援装置２１０は、進行リストに基づいて、端末選定手段２４９によって、選択手段２４４により選択された順番情報と関連付けられた端末情報によって識別される端末装置２０を「発表用端末装置」とし、該端末情報によって識別されない端末装置２０を「聴講用端末装置」とするように設定する。なお、選択手段２４４が順番情報を選択する前に、すべてのプレゼンテーションの資料画像を各端末装置２０の各表示部３３で表示可能な期間が設けられてもよい。
【０１７６】
資料画像表示手段２４２が各表示部３３に資料画像を表示させるとき、実際のハードウェア上では、会議支援装置２１０の一時記憶部に、選択手段２４４によって選択された順番情報と関連付けられた資料データ群が読み出され、該資料データ群を構成する各資料データに基づく画像を表示させるための各画像データが記憶される。各画像データのうちの１つの画像データが、会議支援装置２１０の通信処理部からＩＰネットワーク４０を介して、各端末装置２０に送信される。各端末装置２０は、各端末装置２０の各通信処理部２２によって受信した画像データに基づいて、各表示部３３に資料画像を表示する。
【０１７７】
発表者は、「発表用端末装置」として設定された自身の端末装置２０の操作部３５を介して画像変更指示を入力することで、該画像変更指示に基づく信号（画像変更指示信号）を会議支援装置２１０に送信することが可能である。画像変更指示とは、各端末装置２０の各表示部３３に表示中の資料画像とは異なる資料画像を、各表示部３３に表示させる指示である。
【０１７８】
会議支援装置２１０に送信された画像変更指示信号は、画像変更指示受信手段２４５によって受信される。画像変更手段２４６は、画像変更指示受信手段２４５が受信した画像変更指示信号に基づいて、各表示部３３に表示中の資料画像を、該資料画像の基となった資料データとは異なる資料データに基づく画像に変更するように、資料画像表示手段２４２を制御する。画像変更手段２４６による制御によって、資料画像表示手段２４２は、異なる資料画像を各端末装置２０の各表示部３３に表示させる。発表者は、「発表用端末装置」として設定された自身の端末装置２０を介して会議支援装置２１０に画像変更指示を送りながら、各資料データについての説明を行うことでプレゼンテーションを進めることができる。
【０１７９】
会議支援装置２１０は、会議進行処理のステップＡ２として、端末選定手段２４９により選定された「発表用端末装置」による処理に基づいて、表示中の資料画像に係る発表（プレゼンテーション）の終期に達したか否かを判定する（終期判定処理）。終期判定処理は、第１変更手段２４７が行う。プレゼンテーションの終期とは、大略的には、１つのプレゼンテーションの終了間際から該プレゼンテーションの終了時点までの期間である。第１変更手段２４７による終期判定処理については後述する。会議支援装置２１０は、ステップＡ２において、終期に達したと判定された場合、会議進行処理をステップＡ４へ進め、終期に達したと判定されなかった場合、会議進行処理をステップＡ２へ戻し、再度、終期判定処理を行わせる（ステップＡ３）。
【０１８０】
会議支援装置２１０は、会議進行処理のステップＡ４として、次の発表者がいるか否かを判断し、いると判断した場合は、会議進行処理をステップＡ５へ進め、いないと判断した場合は、会議進行処理をステップＡ９へ進める。ステップＡ４における判断は、第１変更手段２４７が、進行リスト中に次の順番のプレゼンテーションがあるか否かを確認することで行う。
【０１８１】
会議支援装置２１０は、会議進行処理のステップＡ５として、次の発表（プレゼンテーション）に係る資料画像を、後の発表用端末装置を含む、「共存表示端末装置」として設定された端末装置２０の表示部３３に表示させる。会議支援装置２１０は、ステップＡ５の後、会議進行処理をステップＡ６へ進める。
【０１８２】
より詳細には、まず、第１変更手段２４７が、進行リストに基づいて、選択手段２４４が既に選択中の順番情報（先の選択順番情報）だけではなく、該順番情報が示す順番よりも１つ後の順番を示す順番情報も、選択順番情報（後の選択順番情報）として選択するように、選択手段２４４を制御する。すなわち、第１変更手段２４７は、第１状態の会議支援装置２１０を、第２状態となるように制御する。そして、共存表示端末設定手段２５０は、少なくとも、後の選択順番情報に関連付けられた端末情報によって識別される端末装置２０（後の発表用端末装置）を、「共存表示端末装置」として設定する。資料画像表示手段２４２は、進行リストに基づいて、先の選択順番情報に関連付けられた資料画像（先の発表者の用いる資料画像）と、後の選択順番情報に関連付けられた資料画像（後の発表者の用いる資料画像）とを、「共存表示端末装置」として設定された端末装置２０の表示部３３に表示させる。また、このとき、端末選定手段２４９は、進行リストに基づいて、先の選択順番情報および後の選択順番情報にそれぞれ関連付けられた端末情報によって識別される２つの端末装置２０を、「発表用端末装置」とし、それ以外の端末装置２０を「聴講用端末装置」とするように設定する。
【０１８３】
資料画像表示手段２４２は、ステップＡ１と同様に、会議支援装置２１０の一時記憶部に、後の選択順番情報と関連付けられた資料データ群を読み出し、該資料データ群を構成する各資料データに基づく画像を表示させるための各画像データを記憶させる。そして、資料画像表示手段２４２は、画像データを各端末装置２０に送信して、「共存表示端末装置」として設定された端末装置２０の表示部３３に、先の発表者の用いる資料画像、および後の発表者の用いる資料画像を表示させる。したがって、第２状態の会議支援装置２１０において、会議支援装置２１０の一時記憶部は、先の発表者の用いる資料画像の画像データと、後の発表者の用いる資料画像の画像データとの両者を記憶している。
【０１８４】
聴講者のうち、自身の使用する端末装置２０が、端末選定手段２４９によって「発表用端末装置」として設定された聴講者は、次に発表を行う会議参加者（後の発表者）であり、該聴講者は、該端末装置２０から画像変更指示を送信できるようになる。会議の進行上、後の発表者は、先に「発表用端末装置」として設定された端末装置２０を用いる会議参加者（先の発表者）によるプレゼンテーション（先のプレゼンテーション）が終了するのを待ってから、自身のプレゼンテーション（後のプレゼンテーション）を開始し、必要に応じて画像変更指示を送信する。会議支援装置２１０が第２状態にあるときは、会議支援装置２１０の一時記憶部には、先の発表者の用いる資料画像の画像データと、後の発表者の用いる資料画像の画像データとの両者が記憶されている。また、このとき、後の発表者の用いる端末装置２０は「共存表示端末装置」として設定されているので、該端末装置２０の表示部３３には、後の発表者の用いる資料画像が表示されている。したがって、後の発表者は、先のプレゼンテーションが終了し次第、直ちに後のプレゼンテーションを開始できる。このように、本発明に係る会議支援装置２１０によれば、各会議参加者は自身の端末装置２０を用いてプレゼンテーションを行えるので、発表者の交代に要する時間を短縮できる。
【０１８５】
また、「共存表示端末装置」として設定された端末装置２０の表示部３３には、先のプレゼンテーションの終期に達したときから、先の発表者の用いる資料画像と後の発表者の用いる資料画像との、２つの資料画像が表示されるので、該端末装置２０を用いる会議参加者は、進行中ではない、後のプレゼンテーションの資料画像を閲覧することができる。また、後述するように、先の発表者の用いる資料画像は、後のプレゼンテーションの始期が過ぎるときまで、「共存表示端末装置」として設定された端末装置２０の表示部３３に表示されるので、該端末装置２０を用いる会議参加者は、進行中ではない、先のプレゼンテーションの資料画像を閲覧することができる。このように、本発明に係る会議支援装置２１０によれば、進行中以外のプレゼンテーションの資料画像を閲覧することができる。
【０１８６】
会議支援装置２１０は、会議進行処理のステップＡ６として、次の発表（プレゼンテーション）の始期が過ぎたか否かを判定する（始期判定処理）。始期判定処理は、第２変更手段４８が行う。プレゼンテーションの始期とは、大略的には、プレゼンテーションの開始時点からプレゼンテーションがある程度進行した時点までの期間である。第２変更手段４８による始期判定処理については後述する。会議支援装置２１０は、ステップＡ６において、始期が過ぎたと判定された場合、会議進行処理をステップＡ８へ進め、始期が過ぎたと判定されなかった場合、会議進行処理をステップＡ６へ戻し、再度、始期判定処理を行わせる（ステップＡ７）。
【０１８７】
会議支援装置２１０は、会議進行処理のステップＡ８として、直前の発表（プレゼンテーション）に係る資料画像の表示を終了する。会議支援装置２１０は、ステップＡ８の後、会議進行処理を再度ステップＡ２へ進める。
【０１８８】
より詳細には、まず、第２変更手段４８が、先の選択順番情報として選択されている順番情報、および後の選択順番情報として選択されている順番情報のうち、後の選択順番情報として選択されている順番情報のみを、選択順番情報として引き続き選択するように、選択手段４４を制御する。すなわち、第２変更手段４８は、第２状態の会議支援装置１０を、第１状態となるように制御する。そして、資料画像表示手段４２は、選択順番情報ではなくなった順番情報に関連付けられた資料画像を「共存表示端末装置」として設定された端末装置２０の表示部３３に表示させることを終了し、進行リストに基づいて、選択順番情報として引き続き選択されている順番情報に関連付けられた資料画像のみを、各端末装置２０の表示部３３に表示させる。また、このとき、端末選定手段２４９は、進行リストに基づいて、選択手段４４によって引き続き選択されている選択順番情報に関連付けられた端末情報によって識別される端末装置２０を、「発表用端末装置」とし、それ以外の端末装置２０を「聴講用端末装置」とするように設定する。
【０１８９】
ハードウェア上では、会議支援装置２１０の一時記憶部から、選択順番情報ではなくなった順番情報に関連付けられた資料データ群を構成する資料データに基づく画像を表示するための各画像データが削除される。会議支援装置２１０の一時記憶部には、選択順番情報として選択され続ける順番情報に関連付けられた資料データ群を構成する資料データに基づく画像を表示するための各画像データのみが記憶され続ける。
【０１９０】
よって、端末選定手段２４９によって「発表用端末装置」として設定された１つの端末装置２０を用いる会議参加者のみが、該端末装置２０から画像変更指示を送信できるようになる。したがって、ステップＡ８以降ステップＡ２で終期に達したと判定されるまでの期間は、ステップＡ１以降ステップＡ２で終期に達したと判定されるまでの期間と同様に、会議支援装置２１０は第１状態である。ステップＡ８以降のステップＡ２における処理は、上述したとおりである。
【０１９１】
会議支援装置２１０は、会議進行処理のステップＡ９として、表示中の資料画像に係る発表（プレゼンテーション）の終期から所定時間が経過したか否かを判定する（終了判定処理）。終了判定処理は、資料画像表示手段２４２が行う。所定時間とは、プレゼンテーションの終期に達してからプレゼンテーションが終了するまでに要する時間として予め定められる予想時間である。所定時間は、たとえば、５分間〜１０分間である。会議支援装置２１０は、ステップＡ９において、所定時間が経過したと判定された場合、会議進行処理をステップＡ１１へ進め、所定時間が経過したと判定されなかった場合、会議進行処理をステップＡ９へ戻し、再度、終了判定処理を行わせる（ステップＡ１０）。
【０１９２】
会議支援装置２１０は、会議進行処理のステップＡ１１として、すべての資料画像の表示を終了して、会議進行処理を終了する。より詳細には、選択手段２４４は、いずれの順番情報も選択しなくなり、資料画像表示手段２４２は、会議支援装置２１０の一時記憶部に記憶されていた画像データをすべて削除し、資料画像を各表示部３３に表示させることを終了する。なお、会議支援装置２１０は、ステップＡ９、ステップＡ１０、およびステップＡ１１の処理を行わずに、電源が切断されるまで、最後に表示部３３に表示させた資料画像を表示させ続けるように構成されてもよい。
【０１９３】
以上に説明したような各種手段の機能は、本発明に係るプレゼンテーション支援装置の第２実施形態において共通の機能である。以下に、本発明に係るプレゼンテーション支援装置の第２実施形態である会議支援装置２１０の基本例について説明する。基本例において、共存表示端末設定手段２５０は、会議の開始から終了まで（ステップＡ１〜ステップＡ１１）を通して、会議支援装置２１０に接続しているすべての端末装置２０を、「共存表示端末装置」として設定する。
【０１９４】
表２に、進行リストの具体例を示す。なお、資料データ群および進行リストは、会議支援装置２１０の外部から、たとえば、端末装置２０から入力される。入力された資料データ群は資料データ記憶手段２４１によって記憶され、入力された進行リストは進行リスト記憶手段２４３によって記憶される。
【０１９５】
【表２】
2011142523.tif 000004
【０１９６】
表２において、「端末ＩＤ」は、各会議参加者の用いる端末装置２０を識別するための端末情報を示す。「順番番号」は、プレゼンテーションの行われる順番を直接的に示す順番情報である。たとえば、端末ＩＤが「Ｘ」（Ｘは、Ｐ〜Ｕのいずれかである）の端末装置２０を用いる会議参加者を、会議参加者Ｘと表すことにすると、表２は、会議参加者Ｐが１番目にプレゼンテーションを行うことを示しており、会議参加者Ｓが４番目にプレゼンテーションを行うことを示している。なお、進行リストには、各会議参加者を識別するためのユーザＩＤが含まれてもよい。ユーザＩＤも、進行リストによって「順番番号」と関連付けられることで、プレゼンテーションの行われる順番を間接的に示す順番情報となる。
【０１９７】
「資料データ群１」、「資料データ群２」、「資料データ群３」、および「資料データ群４」はそれぞれ、各会議参加者がプレゼンテーションに用いる資料データ群を示しており、たとえば、会議参加者Ｑは、「d.pdf」という資料データ群、および「e.xls」という資料データ群を用いて、プレゼンテーションを行うことを示す。
【０１９８】
以下では、プレゼンテーションの行われる順番が１番目である会議参加者Ｐが用いる端末装置２０、プレゼンテーションの行われる順番が２番目である会議参加者Ｑが用いる端末装置２０、およびプレゼンテーションの行われる順番が３番目である会議参加者Ｒが用いる端末装置２０を具体例に挙げて説明する。なお、会議参加者Ｐが使用する端末装置２０を端末装置２０Ｐと表し、端末装置２０Ｐの各部の参照符号の末尾には、アルファベット「Ｐ」を付して表す。同様に、会議参加者Ｑが用いる端末装置２０を端末装置２０Ｑと表し、会議参加者Ｒが用いる端末装置２０を端末装置２０Ｒと表す。
【０１９９】
会議支援装置２１０は、順番情報として、「順番番号」、「ユーザＩＤ」のうち、いずれを用いてもよいけれども、以下では、「順番番号」を用いるとする。会議が開始されると、上記進行リスト（表２）に基づいて、選択手段２４４は、まず、順番番号「１」のみを選択順番情報として選択する（ステップＡ１）。このとき、端末選定手段２４９は、順番番号「１」に関連付けられた端末情報「Ｐ」によって識別される端末装置２０Ｐのみを「発表用端末装置」とし、それ以外の端末装置２０を「聴講用端末装置」とするように設定する。その後、ステップＡ５において、選択手段２４４は、順番番号「１」を先の選択順番情報として選択し、順番番号「２」を後の選択順番情報として選択する。このとき、端末選定手段２４９は、順番番号「１」、「２」にそれぞれ関連付けられた端末情報「Ｐ」、「Ｑ」によって識別される端末装置２０Ｐ、２０Ｑを「発表用端末装置」とし、それ以外の端末装置２０を「聴講用端末装置」とするように設定する。さらにその後、ステップＡ８において、選択手段２４４は、順番番号「２」のみを、選択順番情報として選択する。このとき、端末選定手段２４９は、順番番号「２」に関連付けられた端末情報「Ｑ」によって識別される端末装置２０Ｑのみを「発表用端末装置」とし、それ以外の端末装置２０を「聴講用端末装置」とするように設定する。したがって、会議支援装置２１０は、最初に、順番番号「１」のみを選択順番情報として選択している第１状態（以下、「１番目選択状態」と称する場合がある）となり、次に、順番番号「１」を先の選択順番情報として選択し、順番番号「２」を後の選択順番情報として選択している第２状態（以下、「１番目２番目同時選択状態」と称する場合がある）となり、次に、順番番号「２」のみを選択順番情報として選択している第１状態（以下、「２番目選択状態」と称する場合がある）となる。
【０２００】
会議支援装置２１０が１番目選択状態にあるとき、資料画像表示手段２４２は、選択順番情報として選択された順番番号「１」と関連付けられた資料データ群を構成する資料データに基づく画像（以下、「「１」に係る資料画像」と称する場合がある）を、各表示部３３Ｐ，３３Ｑ，３３Ｒそれぞれに表示させる。会議支援装置２１０が１番目２番目同時選択状態にあるとき、資料画像表示手段２４２は、先の選択順番情報として選択された順番番号「１」に係る資料画像、および後の選択順番情報として選択された順番番号「２」と関連付けられた資料データ群を構成する資料データに基づく画像（以下、「「２」に係る資料画像」と称する場合がある）を、「共存表示端末装置」として設定された端末装置２０の表示部３３に表示させる。本実施形態では、すべての会議参加者が用いる端末装置２０が、共存表示端末設定手段２５０によって「共存表示端末装置」として設定されるので、「１」に係る資料画像および「２」に係る資料画像が、各表示部３３Ｐ，３３Ｑ，３３Ｒそれぞれに表示される。会議支援装置２１０が２番目選択状態にあるとき、資料画像表示手段２４２は、選択順番情報として選択された順番番号「２」に係る資料画像を、各表示部３３Ｐ，３３Ｑ，３３Ｒそれぞれに表示させる。以下では、会議支援装置２１０が、１番目選択状態、１番目２番目同時選択状態、および２番目選択状態のそれぞれの状態にあるときにおける、各表示部３３Ｐ，３３Ｑ，３３Ｒそれぞれに表示される画像について説明する。
【０２０１】
図１４Ａは、端末装置２０Ｐの表示部３３Ｐを示す図である。図１４Ａ（ａ）は、会議支援装置２１０が１番目選択状態にあるときの表示部３３Ｐを示し、図１４Ａ（ｂ）は、会議支援装置２１０が１番目２番目同時選択状態にあるときの表示部３３Ｐを示し、図１４Ａ（ｃ）は、会議支援装置２１０が２番目選択状態にあるときの表示部３３Ｐを示す。図１４Ｂは、端末装置２０Ｑの表示部３３Ｑを示す図である。図１４Ｂ（ｄ）は、会議支援装置２１０が１番目選択状態にあるときの表示部３３Ｑを示し、図１４Ｂ（ｅ）は、会議支援装置２１０が１番目２番目同時選択状態にあるときの表示部３３Ｑを示し、図１４Ｂ（ｆ）は、会議支援装置２１０が２番目選択状態にあるときの表示部３３Ｑを示す。図１４Ｃは、端末装置２０Ｒの表示部３３Ｒを示す図である。図１４Ｃ（ｇ）は、会議支援装置２１０が１番目選択状態にあるときの表示部３３Ｒを示し、図１４Ｃ（ｈ）は、会議支援装置２１０が１番目２番目同時選択状態にあるときの表示部３３Ｒを示し、図１４Ｃ（ｉ）は、会議支援装置２１０が２番目選択状態にあるときの表示部３３Ｒを示す。
【０２０２】
図１４Ａ（ａ）〜図１４Ａ（ｃ）、図１４Ｂ（ｄ）〜図１４Ｂ（ｆ）、および図１４Ｃ（ｇ）〜図１４Ｃ（ｉ）に示すように、各表示部３３Ｐ，３３Ｑ，３３Ｒそれぞれには、会議の開始から終了まで（ステップＡ１〜ステップＡ１１）を通して、会議用画像２０００Ｐ，２０００Ｑ，２０００Ｒが表示される。会議用画像２０００Ｐ，２０００Ｑ，２０００Ｒそれぞれの中に表示される画像は、会議支援装置２１０の状態が変化するのに伴って変化する。
【０２０３】
会議支援装置２１０が１番目選択状態にあるとき、表示部３３Ｐには、図１４Ａ（ａ）に示すように、会議用画像２０００Ｐ中に発表用画像３００Ｐが表示され、表示部３３Ｑには、図１４Ｂ（ｄ）に示すように、会議用画像２０００Ｑ中に聴講用画像３３０Ｑが表示され、表示部３３Ｒには、図１４Ｃ（ｇ）に示すように、会議用画像２０００Ｒ中に聴講用画像３３０Ｒが表示される。発表用画像３００Ｐは、会議支援装置２１０が第１状態にあるときにおいて、発表者がプレゼンテーションを行うために操作する画像である。聴講用画像３３０Ｑ，３３０Ｒは、会議支援装置２１０が第１状態にあるときにおいて、発表者以外の会議参加者（聴講者）が資料画像を閲覧するための画像である。聴講用画像３３０Ｑと聴講用画像３３０Ｒとは、同一の機能を有する画像である。
【０２０４】
本実施形態では、図１４Ａ（ａ）に示すように、発表用画像３００Ｐの左上隅には、発表用の画像であることを示す「発」の文字が表示され、図１４Ｂ（ｄ）および図１４Ｃ（ｇ）に示すように、聴講用画像３３０Ｑ，３３０Ｒの左上隅には、聴講用の画像であることを示す「聴」の文字が表示される。発表用画像３００Ｐ中、および聴講用画像３３０Ｑ，３３０Ｒ中には、選択手段２４４が選択している１つの順番情報と関連付けられた資料データに基づく画像が表示される。したがって、会議支援装置２１０が１番目選択状態にあるとき、発表用画像３００Ｐ中、および聴講用画像３３０Ｑ，３３０Ｒ中には、「１」に係る資料画像が表示される。
【０２０５】
会議支援装置２１０が１番目２番目同時選択状態になると、表示部３３Ｐでは、図１４Ａ（ｂ）に示すように、会議用画像２０００Ｐ中から発表用画像３００Ｐが削除され、会議用画像２０００Ｐ中に先発表用画像３１０Ｐおよび後聴講用画像３２０Ｐが新たに表示される。先発表用画像３１０Ｐは、会議支援装置２１０が第２状態にあるときにおいて、先の発表者がプレゼンテーションを行うために操作する画像である。後聴講用画像３２０Ｐは、会議支援装置２１０が第２状態にあるときにおいて、会議参加者Ｐが後のプレゼンテーションに用いられる資料画像を閲覧するための画像である。本実施形態では、先発表用画像３１０Ｐの左上隅には、先の発表者が操作する発表用画像であることを示す「先発」の文字が表示され、後聴講用画像３２０Ｐの左上隅には、後のプレゼンテーションを聴講するための聴講用画像であることを示す「後聴」の文字が表示される。
【０２０６】
図１４Ａ（ｂ）に示す先発表用画像３１０Ｐ中には、先のプレゼンテーションに用いられる資料画像が表示される。したがって、会議支援装置２１０が１番目２番目同時選択状態にあるとき、先発表用画像３１０Ｐ中には、「１」に係る資料画像が表示される。後聴講用画像３２０Ｐ中には、後のプレゼンテーションに用いられる資料画像が表示される。したがって、会議支援装置２１０が１番目２番目同時選択状態にあるとき、後聴講用画像３２０Ｐ中には、「２」に係る資料画像が表示される。
【０２０７】
また、図１４Ａ（ｂ）に示すように、会議支援装置２１０が１番目２番目同時選択状態にあるとき、会議用画像２０００Ｐ中には、先発表用画像選択キー２６０Ｐと、後聴講用画像選択キー２６１Ｐとが表示される。先発表用画像選択キー２６０Ｐおよび後聴講用画像選択キー２６１Ｐは、表示部３３Ｐに２つ以上表示される資料画像を、選択して閲覧するためのキーである。図１４Ａ（ｂ）に示すように、先発表用画像３１０Ｐは、後聴講用画像３２０Ｐよりも前面に表示されているため、閲覧可能である。これに対して、後聴講用画像３２０Ｐは先発表用画像３１０Ｐの背面に表示されているので、閲覧することができない。本実施形態では、このように、１つの資料画像を選択すると該資料画像が閲覧可能になるように、複数の資料画像が表示されているとき、選択閲覧可能に表示されていると称する。本実施形態のように、先発表用画像３１０Ｐおよび後聴講用画像３２０Ｐを選択閲覧可能に表示することで、より利便性の高い会議支援装置を実現することができる。
【０２０８】
図１４Ａ（ｂ）に示す先発表用画像選択キー２６０Ｐは、先発表用画像３１０Ｐを最前面に表示させるキーである。後聴講用画像選択キー２６１Ｐは、後聴講用画像３２０Ｐを最前面に表示させるキーである。会議支援装置２１０が１番目２番目同時選択状態になった時点では、先発表用画像選択キー２６０Ｐが選択されている状態であり、先発表用画像３１０Ｐが前面に表示されている。この状態から、後聴講用画像選択キー２６１Ｐを選択することで、後聴講用画像３２０Ｐを前面に表示させることができる。図１５Ａは、後聴講用画像３２０Ｐを前面に表示させたときの表示部３３Ｐを示す図である。なお、他の実施形態としては、先発表用画像３１０Ｐと後聴講用画像３２０Ｐとを並列的に表示することによって、選択閲覧可能ではないように表示してもよい。
【０２０９】
会議支援装置２１０が１番目２番目同時選択状態になると、表示部３３Ｑでは、図１４Ｂ（ｅ）に示すように、会議用画像２０００Ｑ中から聴講用画像３３０Ｑが削除され、会議用画像２０００Ｑ中に先聴講用画像３４０Ｑおよび後発表用画像３５０Ｑが新たに表示される。先聴講用画像３４０Ｑは、会議支援装置２１０が第２状態にあるときにおいて、後の発表者が、先のプレゼンテーションに用いられる資料画像を閲覧するための画像である。後発表用画像３５０Ｑは、会議支援装置２１０が第２状態にあるときにおいて、後の発表者が後のプレゼンテーションを行うために操作する画像である。本実施形態では、先聴講用画像３４０Ｑの左上隅には、先のプレゼンテーションを聴講するための聴講用画像であることを示す「先聴」の文字が表示され、後発表用画像３５０Ｑの左上隅には、後の発表者が操作する発表用画像であることを示す「後発」の文字が表示される。
【０２１０】
図１４Ｂ（ｅ）に示す先聴講用画像３４０Ｑ中には、先のプレゼンテーションに用いられる資料画像が表示される。したがって、会議支援装置２１０が１番目２番目同時選択状態にあるとき、先聴講用画像３４０Ｑ中には、「１」に係る資料画像が表示される。後発表用画像３５０Ｑ中には、後のプレゼンテーションに用いられる資料画像が表示される。したがって、会議支援装置２１０が１番目２番目同時選択状態にあるとき、後発表用画像３５０Ｑ中には、「２」に係る資料画像が表示される。
【０２１１】
また、図１４Ｂ（ｅ）に示すように、会議支援装置２１０が１番目２番目同時選択状態にあるとき、会議用画像２０００Ｑ中には、後発表用画像選択キー２６２Ｑと、先聴講用画像選択キー２６３Ｑとが表示される。後発表用画像選択キー２６２Ｑおよび先聴講用画像選択キー２６３Ｑは、表示部３３Ｑに２つ以上表示される資料画像を、選択閲覧可能にするためのキーである。
【０２１２】
図１４Ｂ（ｅ）に示す後発表用画像選択キー２６２Ｑは、後発表用画像３５０Ｑを最前面に表示させるキーである。先聴講用画像選択キー２６３Ｑは、先聴講用画像３４０Ｑを最前面に表示させるキーである。会議支援装置２１０が１番目２番目同時選択状態になった時点では、先聴講用画像選択キー２６３Ｑが選択されている状態であり、先聴講用画像３４０Ｑが前面に表示されている。この状態から、後発表用画像選択キー２６２Ｑを選択することで、後発表用画像３５０Ｑを前面に表示させることができる。図１５Ｂは、後発表用画像３５０Ｑを前面に表示させたときの表示部３３Ｑを示す図である。なお、他の実施形態としては、先聴講用画像３４０Ｑと後発表用画像３５０Ｑとを並列的に表示することによって、選択閲覧可能ではないように表示してもよい。
【０２１３】
会議支援装置２１０が１番目２番目同時選択状態になると、表示部３３Ｒでは、図１４Ｃ（ｈ）に示すように、会議用画像２０００Ｒ中から聴講用画像３３０Ｒが削除され、会議用画像２０００Ｒ中に先聴講用画像３４０Ｒおよび後聴講用画像３２０Ｒが新たに表示される。先聴講用画像３４０Ｒは、表示部３３Ｑに表示される先聴講用画像３４０Ｑと同一の機能を有する画像である。後聴講用画像３２０Ｒは、表示部３３Ｐに表示される後聴講用画像３２０Ｐと同一の機能を有する画像である。
【０２１４】
また、図１４Ｃ（ｈ）に示すように、会議支援装置２１０が１番目２番目同時選択状態にあるとき、会議用画像２０００Ｒ中には、先聴講用画像選択キー２６３Ｒと、後聴講用画像選択キー２６１Ｒとが表示される。先聴講用画像選択キー２６３Ｒは、先聴講用画像選択キー２６３Ｑと同一の機能を有するキーである。後聴講用画像選択キー２６１Ｒは、後聴講用画像選択キー２６１Ｐと同一の機能を有するキーである。図１５Ｃは、後聴講用画像３２０Ｒを前面に表示させたときの表示部３３Ｒを示す図である。なお、他の実施形態としては、先聴講用画像３４０Ｒと後聴講用画像３２０Ｒとを並列的に表示することによって、選択閲覧可能ではないように表示してもよい。
【０２１５】
会議支援装置２１０が２番目選択状態になると、表示部３３Ｐでは、図１４Ａ（ｃ）に示すように、会議用画像２０００Ｐ中から先発表用画像３１０Ｐおよび後聴講用画像３２０Ｐが削除され、会議用画像２０００Ｐ中に聴講用画像３３０Ｐが新たに表示される。聴講用画像３３０Ｐは、聴講用画像３３０Ｑ，３３０Ｒと同一の機能を有する画像である。なお、会議支援装置２１０が２番目選択状態であるので、聴講用画像３３０Ｐ中には、「１」に係る資料画像ではなく、「２」に係る資料画像が表示される。
【０２１６】
会議支援装置２１０が２番目選択状態になると、表示部３３Ｑでは、図１４Ｂ（ｆ）に示すように、会議用画像２０００Ｑ中から先聴講用画像３４０Ｑおよび後発表用画像３５０Ｑが削除され、会議用画像２０００Ｑ中に発表用画像３００Ｑが新たに表示される。発表用画像３００Ｑは、発表用画像３００Ｐと同一の機能を有する画像である。なお、会議支援装置２１０が２番目選択状態であるので、発表用画像３００Ｑ中には、「１」に係る資料画像ではなく、「２」に係る資料画像が表示される。
【０２１７】
会議支援装置２１０が２番目選択状態になると、表示部３３Ｒでは、図１４Ｃ（ｉ）に示すように、会議用画像２０００Ｒ中から先聴講用画像３４０Ｒおよび後聴講用画像３２０Ｒが削除され、会議用画像２０００Ｒ中に聴講用画像３３０Ｒが新たに表示される。なお、会議支援装置２１０が２番目選択状態であるので、聴講用画像３３０Ｒ中には、「１」に係る資料画像ではなく、「２」に係る資料画像が表示される。
【０２１８】
以下に、各画像の詳細な構成について説明する。図１４Ａ（ａ）に示す発表用画像３００Ｐは、画像表示部分３０１Ｐと、ページ数表示部分３０２Ｐと、資料データ選択キー３０３Ｐと、資料データ群選択キー３０４Ｐとを含む。画像表示部分３０１Ｐは、資料画像を表示する領域であり、後述する資料データ選択キー３０３Ｐおよび資料データ群選択キー３０４Ｐによって選択された資料データに基づく画像を表示する領域である。なお、はじめに発表用画像３００Ｐが表示されるときは、画像表示部分３０１Ｐには、資料データ群１の第１ページの資料データに基づく画像が表示されるとする。
【０２１９】
図１４Ａ（ａ）に示す資料データ群選択キー３０４Ｐは、画像表示部分３０１Ｐに表示する資料画像の基となる資料データが属する資料データ群を選択するためのキーである。資料データ群選択キー３０４Ｐは、進行リスト（表２）に基づいて表示される。たとえば、順番情報「１」と関連付けられた資料データ群は３つであるので、表示部３３Ｐに表示される発表用画像３００Ｐ中における資料データ群選択キー３０４Ｐは、資料データ群１選択キー３０４Ｐａ、資料データ群２選択キー３０４Ｐｂ、および資料データ群３選択キー３０４Ｐｃの３つとなる。
【０２２０】
図１４Ａ（ａ）に示す資料データ選択キー３０３Ｐは、資料データ群選択キー３０４Ｐによって選択された資料データ群の中において、画像表示部分３０１Ｐに表示する資料画像の基となる資料データを選択するためのキーである。資料データ選択キー３０３Ｐは、前ページ送りキー３０３Ｐａと、後ページ送りキー３０３Ｐｂとを含む。前ページ送りキー３０３Ｐａは、画像表示部分３０１Ｐに表示中の資料画像の基となった資料データより１つ前のページの資料データを選択し、該資料データに基づく画像を画像表示部分３０１Ｐに表示させるキーである。後ページ送りキー３０３Ｐｂは、画像表示部分３０１Ｐに表示中の資料画像の基となった資料データより１つ後のページの資料データを選択し、該資料データに基づく画像を画像表示部分３０１Ｐに表示させるキーである。
【０２２１】
図１４Ａ（ａ）に示すページ数表示部分３０２Ｐは、資料データ群選択キー３０４Ｐによって選択された資料データ群の総ページ数と、画像表示部分３０１Ｐに表示中の資料画像の基となった資料データのページ番号とを表示する領域である。
【０２２２】
図１４Ｂ（ｆ）に示す発表用画像３００Ｑも、画像表示部分３０１Ｑ、ページ数表示部分３０２Ｑ、資料データ選択キー３０３Ｑ、および資料データ群選択キー３０４Ｑを含んでおり、それぞれの機能は、画像表示部分３０１Ｐ、ページ数表示部分３０２Ｐ、資料データ選択キー３０３Ｐ、および資料データ群選択キー３０４Ｐの機能と同一である。
【０２２３】
図１４Ｂ（ｄ）に示す聴講用画像３３０Ｑは、画像表示部分３３１Ｑと、ページ数表示部分３３２Ｑとを含む。画像表示部分３３１Ｑは、同時期における発表用画像３００Ｐの画像表示部分３０１Ｐと同一の資料画像を表示する領域である。ページ数表示部分３３２Ｑは、同時期における発表用画像３００Ｐのページ数表示部分３０２Ｐと同一のページ数を表示する領域である。すなわち、聴講用画像３３０Ｑは、同時期における発表用画像３００Ｐに連動している。したがって、発表用画像３００Ｐの資料データ群選択キー３０４Ｐおよび資料データ選択キー３０３Ｐは、画像変更指示受信信号を会議支援装置２１０に送信するためのキーとなる。
【０２２４】
なお、聴講用画像３３０Ｑだけではなく、聴講用画像３３０Ｒを含むすべての聴講用画像が、同時期における発表用画像に連動する。同様に、すべての先聴講用画像は、同時期における先発表用画像に連動する。また、すべての後聴講用画像は、同時期における後発表用画像に連動する。
【０２２５】
図１４Ａ（ｃ）および図１４Ｃ（ｇ）に示す聴講用画像３３０Ｐ，３３０Ｒも、画像表示部分３３１Ｐ，３３１Ｒ、およびページ数表示部分３３２Ｐ，３３２Ｒを含んでおり、それぞれの機能は、画像表示部分３３１Ｑ、およびページ数表示部分３３２Ｑの機能と同一である。
【０２２６】
図１４Ａ（ｂ）に示す先発表用画像３１０Ｐは、１番目２番目同時選択状態において表示される画像であること以外は、発表用画像３００Ｐと同一の機能を有する。すなわち、先発表用画像３１０Ｐは、画像表示部分３１１Ｐ、ページ数表示部分３１２Ｐ、資料データ選択キー３１３Ｐ、および資料データ群選択キー３１４Ｐを含んでおり、それぞれの機能は、画像表示部分３０１Ｐ、ページ数表示部分３０２Ｐ、資料データ選択キー３０３Ｐ、および資料データ群選択キー３０４Ｐの機能と同一である。
【０２２７】
図１４Ｂ（ｅ）に示す先聴講用画像３４０Ｑは、１番目２番目同時選択状態において表示され、先発表用画像３１０Ｐに連動する画像であること以外は、聴講用画像３３０Ｑと同一の機能を有する。すなわち、先聴講用画像３４０Ｑは、画像表示部分３４１Ｑ、およびページ数表示部分３４２Ｑを含んでおり、それぞれの機能は、画像表示部分３３１Ｑ、およびページ数表示部分３３２Ｑの機能と同一である。図１４Ｃ（ｈ）に示す先聴講用画像３４０Ｒも、画像表示部分３４１Ｒ、およびページ数表示部分３４２Ｒを含んでおり、それぞれの機能は、画像表示部分３４１Ｑ、およびページ数表示部分３４２Ｑの機能と同一である。
【０２２８】
図１５Ｂに示す後発表用画像３５０Ｑは、１番目２番目同時選択状態において表示される画像であること以外は、発表用画像３００Ｐと同一の機能を有する。すなわち、後発表用画像３５０Ｑは、画像表示部分３５１Ｑ、ページ数表示部分３５２Ｑ、資料データ選択キー３５３Ｑ、および資料データ群選択キー３５４Ｑを含んでおり、それぞれの機能は、画像表示部分３０１Ｐ、ページ数表示部分３０２Ｐ、資料データ選択キー３０３Ｐ、および資料データ群選択キー３０４Ｐの機能と同一である。
【０２２９】
図１５Ａに示す後聴講用画像３２０Ｐは、１番目２番目同時選択状態において表示され、後発表用画像３５０Ｑに連動する画像であること以外は、聴講用画像３３０Ｑと同一の機能を有する。すなわち、後聴講用画像３２０Ｐは、画像表示部分３２１Ｐ、およびページ数表示部分３２２Ｐを含んでおり、それぞれの機能は、画像表示部分３３１Ｑ、およびページ数表示部分３３２Ｑの機能と同一である。図１５Ｃに示す後聴講用画像３２０Ｒも、画像表示部分３２１Ｒ、およびページ数表示部分３２２Ｒを含んでおり、それぞれの機能は、画像表示部分３２１Ｐ、およびページ数表示部分３２２Ｐの機能と同一である。
【０２３０】
会議支援装置２１０の資料画像表示手段２４２が、上記のような画像を各表示部３３Ｐ，３３Ｑ，３３Ｒに表示させるとき、会議参加者Ｐは、まず、自身の端末装置２０Ｐに表示される発表用画像３００Ｐを用いてプレゼンテーションを行うことになる。このとき、聴講者である会議参加者Ｑおよび会議参加者Ｒは、それぞれの端末装置２０Ｑ，２０Ｒに表示される聴講用画像３３０Ｑ，３３０Ｒを閲覧して会議に参加する。はじめは、会議支援装置２１０は、１番目選択状態にある。会議参加者Ｐが、資料データ選択キー３０３Ｐや資料データ群選択キー３０４Ｐを選択することで、会議支援装置２１０に画像変更指示信号が送信され、プレゼンテーションが進む。プレゼンテーションが進み、第１変更手段２４７がプレゼンテーションの終期に達したと判定すると、会議支援装置２１０は１番目選択状態から１番目２番目同時選択状態へとなる。本実施形態では、会議参加者Ｐが最終ページの資料データに基づく画像を表示させるための画像変更指示信号を送信したときに、第１変更手段２４７はプレゼンテーションの終期に達したと判定する。
【０２３１】
会議支援装置２１０が１番目２番目同時選択状態となると、表示部３３Ｐには、先発表用画像３１０Ｐが表示される。また、表示部３３Ｑ，３３Ｒには、先聴講用画像３４０Ｑ，３４０Ｒがそれぞれ表示される。会議参加者Ｐは、プレゼンテーションの終了まで、先発表用画像３１０Ｐを用いてプレゼンテーションを行うことになる。このとき、会議参加者Ｑおよび会議参加者Ｒはそれぞれ、先聴講用画像３４０Ｑおよび先聴講用画像３４０Ｒを閲覧して会議に参加する。
【０２３２】
また、会議支援装置２１０が１番目２番目同時選択状態となると、表示部３３Ｑには、後発表用画像３５０Ｑが表示され、表示部３３Ｐ，３３Ｒには、後聴講用画像３２０Ｐ，３２０Ｒがそれぞれ表示される。会議参加者Ｑは後発表用画像３５０Ｑを閲覧することにより、会議参加者Ｐおよび会議参加者Ｒは後聴講用画像３２０Ｐ，３２０Ｒを閲覧することにより、先のプレゼンテーションが行われている際に、後のプレゼンテーションの内容を確認することができる。
【０２３３】
会議参加者Ｐは、プレゼンテーションが終了すると、先発表用画像３１０Ｐを操作することを止める。会議参加者Ｐの後の発表者である会議参加者Ｑは、先のプレゼンテーションが終了したことを確認してから、後発表用画像３５０Ｑを用いて、プレゼンテーションを開始する。会議参加者Ｐおよび会議参加者Ｒはそれぞれ、後発表用画像３５０Ｑに連動する後聴講用画像３２０Ｐおよび後聴講用画像３２０Ｒを閲覧して会議に参加する。なお、会議参加者Ｐは先発表用画像３１０Ｐを閲覧することにより、会議参加者Ｑおよび会議参加者Ｒは先聴講用画像３４０Ｑ，３４０Ｒを閲覧することにより、後のプレゼンテーションが行われている際に、先のプレゼンテーションの内容を確認することができる。
【０２３４】
会議参加者Ｑによるプレゼンテーションが進み、第２変更手段２４８がプレゼンテーションの始期が過ぎたと判定すると、会議支援装置２１０は１番目２番目同時選択状態から２番目選択状態へとなる。本実施形態では、会議参加者Ｑが第２ページの資料データに基づく画像を表示させるための画像変更指示信号を送信したときに、第２変更手段２４８はプレゼンテーションの始期が過ぎたと判定する。
【０２３５】
会議支援装置２１０が２番目選択状態となると、表示部３３Ｑには、発表用画像３００Ｑが表示される。また、表示部３３Ｐ，３３Ｒには、聴講用画像３３０Ｐ，３３０Ｒがそれぞれ表示される。その後は、会議参加者Ｐによるプレゼンテーションと同様にして、会議が進行する。
【０２３６】
このように、会議支援装置２１０によれば、各会議参加者は自身の端末装置２０でプレゼンテーションを行うことができるので、発表者の交代に要する時間を短縮することができ、会議を円滑に進行させることができる。また、本実施形態では、端末装置２０を用いるすべての会議参加者が、先のプレゼンテーションが行われている際に後のプレゼンテーションの資料画像を閲覧でき、また、後のプレゼンテーションが行われている際に先のプレゼンテーションの資料画像を閲覧できる。
【０２３７】
上述したように、第１変更手段２４７は、会議支援装置２１０が第１状態であるときに、表示中の資料画像に係るプレゼンテーションの終期に達したか否かの判定（終期判定処理）を行い、達したと判定したときに会議支援装置２１０を第２状態に切り替える。以下に、第１変更手段２４７による終期判定処理について説明する。
【０２３８】
本実施形態では、第１変更手段２４７は、第１表示数判定手段を含む。第１表示数判定手段は、資料画像表示手段２４２が「発表用端末装置」として設定された端末装置２０の表示部３３に画像を表示させた資料データの数を判定する手段である。より詳細には、第１表示数判定手段は、選択順番情報として選択されている順番情報と関連付けられた資料データのうち、資料画像表示手段２４２が「発表用端末装置」として設定された端末装置２０の表示部３３に画像を表示させた資料データの数を判定する。たとえば、「１」に係る資料データ群のうち、資料データ群１「a.ppt」が第３ページまで表示され、資料データ群２「b .xls」が第５ページまで表示され、資料データ群３「c.pdf」が第４ページまで表示されたとき、第１表示数判定手段は、表示された資料データの数は、計１２であると判定する。
【０２３９】
第１変更手段２４７は、終期判定処理として、まず、資料データ記憶手段２４１に記憶される資料データ群に基づいて、選択順番情報として選択された順番情報に関連付けられた資料データの総数（総ページ数）を算出する。次に、第１変更手段２４７は、資料データの総数から、第１表示数判定手段によって判定された値を減算して、残りデータ数として算出する。そして、第１変更手段２４７は、残りデータ数が予め定める閾値以下であるときに、選択順番情報として選択された順番情報に関連付けられた資料データのうち、「発表用端末装置」として設定された端末装置２０の表示部３３に表示させていない資料画像を表示させる画像変更指示を受けると、プレゼンテーションの終期に達したと判定する。
【０２４０】
なお、本実施形態では、予め定める閾値は１である。したがって、たとえば、「１」に係る資料データ群のうち、資料データ群１「a.ppt」が全１５ページ中の第１４ページまで表示され、資料データ群２「b.xls」および資料データ群３「c.pdf」がすべて表示されたときは、残りデータ数は１の状態となる。よって、この状態において、後ページ送りキー３０３Ｐｂを押下して、最終ページ（第１５ページ）の資料データに基づく画像を表示させる画像変更指示信号を送信すると、上述したように、会議支援装置２１０は１番目選択状態から１番目２番目同時選択状態に切り替わる。
【０２４１】
他の実施形態としては、第１変更手段２４７は、さらに、第１表示時間判定手段を備えてもよい。第１表示時間判定手段は、資料画像表示手段２４２が資料データに基づく画像を「発表用端末装置」として設定された端末装置２０の表示部３３に表示させていた時間を判定する手段である。より詳細には、第１表示時間判定手段は、選択順番情報として選択されている順番情報と関連付けられた資料データを、資料画像表示手段２４２が「発表用端末装置」として設定された端末装置２０の表示部３３に表示させていた時間を判定する。
【０２４２】
このような他の実施形態では、第１変更手段２４７は、終期判定処理として、第１表示時間判定手段によって判定された値と、上記第１表示数判定手段によって判定された値とから、未だ表示していない残りの資料画像をすべて表示するのにかかる予想時間を算出し、算出した値が予め定める閾値以下となったときに、プレゼンテーションの終期に達したと判断する。予め定める閾値は、たとえば、５分間〜１０分間である。予想時間は、たとえば、資料データ群の第１ページの資料データに基づく画像を表示させていた時間に、残りデータ数を乗算したものであってもよいし、以下に説明する平均表示時間に残りデータ数を乗算したものであってもよい。
【０２４３】
上記他の実施形態において、第１変更手段２４７は、たとえば、資料データ群を構成する資料データのうちの半数の資料データに基づく画像を表示させていた総時間を、該半数の値で除算して、平均表示時間を算出する。なお、プレゼンテーションに用いられる資料データ群が複数ある場合、資料データ群によって進行する速度が異なるので、第１変更手段２４７は、資料データ群ごとに予想時間を算出して、すべての予想時間の合計値が予め定める閾値以下となったときに、プレゼンテーションの終期に達したと判定することが好ましい。このとき、上記平均表示時間も、資料データ群ごとに算出する。
【０２４４】
上述したように、第２変更手段２４８は、会議支援装置２１０が第２状態であるときに、後のプレゼンテーションの始期が過ぎたか否かの判定（始期判定処理）を行い、過ぎたと判定したときに会議支援装置２１０を第１状態に切り替える。以下に、第２変更手段２４８による始期判定処理について説明する。
【０２４５】
本実施形態では、第２変更手段２４８は、第２表示数判定手段を含む。第２表示数判定手段は、資料画像表示手段２４２が後の発表者の用いる端末装置２０の表示部３３に画像を表示させた資料データの数を判定する手段である。より詳細には、第２表示数判定手段は、後の選択順番情報として選択されている順番情報と関連付けられた資料データのうち、資料画像表示手段２４２が、該後の選択順番情報と関連付けられた端末情報によって識別される端末装置２０の表示部３３に画像を表示させた資料データの数を判定する。
【０２４６】
第２変更手段２４８は、始期判定処理として、第２表示数判定手段によって判定された値が予め定める閾値以上であるときに、後の選択順番情報として選択された順番情報に関連付けられた資料データのうち、後の発表者の用いる端末装置２０の表示部３３に表示させていない資料画像を表示させる画像変更指示を受けると、プレゼンテーションの始期が過ぎたと判定する。
【０２４７】
なお、本実施形態では、予め定める閾値は１である。したがって、たとえば、会議支援装置２１０が１番目２番目同時選択状態にあるときに、「２」に係る資料データ群の第１ページの資料データに基づく画像が後の発表者Ｑの用いる端末装置２０Ｑの表示部３３Ｑに表示されているとき、閾値以上の状態である。よって、この状態において、資料データ選択キー３５３Ｑを押下して、第１ページ以外のページの資料データに基づく画像を表示させる画像変更指示信号を送信すると、上述したように、会議支援装置２１０は１番目２番目同時選択状態から２番目選択状態に切り替わる。
【０２４８】
他の実施形態として、第２変更手段２４８は、会議支援装置２１０が第２状態となった時点から予め定める時間経過したときに、後のプレゼンテーションの始期が過ぎたと判定するように構成されてもよい。
【０２４９】
会議支援装置２１０は、通知手段をさらに備えてもよい。通知手段は、会議支援装置２１０が第２状態にあるときに、選択手段２４４がプレゼンテーションの行われる順番の中の連続する２つの順番に対応する順番情報を選択している状態（第２状態）にあるときに、該２つの順番のうちの後の順番に対応する順番情報と関連付けられた資料データ以外の資料データに基づく画像を表示している表示部３３を備える端末装置２０に対して、予め定める通知を行う手段である。図１６は、通知手段によるメッセージ２８０が表示された表示部３３Ｒを示す図である。本実施形態では、通知手段は、会議支援装置２１０が１番目２番目同時選択状態となった時点から、予め定める時間経過後、先聴講用画像３４０Ｒ中に、「次の発表者の資料をご覧ください。」というメッセージ２８０を表示させる。予め定める時間は、会議支援装置２１０が１番目２番目同時選択状態となってから先のプレゼンテーションが終了するまでにかかる予想時間であり、たとえば、５分間〜１０分間である。他の実施形態として、通知手段は、後の発表者の用いる端末装置２０の表示部３３に表示される会議用画像２０００中に、後の発表者がプレゼンテーションを行う直前に押下するキーである発表開始キーを表示させ、該発表開始キーが押下された時点で、先聴講用画像３４０Ｒ中に上記メッセージを表示させるように構成されてもよい。
【０２５０】
次に、会議支援装置２１０の第１変形例について、図１７Ａ、図１７Ｂ、および図１７Ｃを用いて説明する。図１７Ａは、第２実施形態の第１変形例において、１番目２番目同時選択状態における端末装置２０Ｐの表示部３３Ｐを示す図である。図１７Ａ（ａ）は、後述する発表開始キー２７０が押下される前における表示部３３Ｐを示し、図１７Ａ（ｂ）は、後述する発表開始キー２７０が押下された後における表示部３３Ｐを示す。図１７Ｂは、第２実施形態の第１変形例において、１番目２番目同時選択状態における端末装置２０Ｑの表示部３３Ｑを示す図である。図１７Ｂ（ｃ）は、後述する発表開始キー２７０が押下される前における表示部３３Ｑを示し、図１７Ｂ（ｄ）は、後述する発表開始キー２７０が押下された後における表示部３３Ｑを示す。図１７Ｃは、第２実施形態の第１変形例において、１番目２番目同時選択状態における端末装置２０Ｒの表示部３３Ｒを示す図である。図１７Ｃ（ｅ）は、後述する発表開始キー２７０が押下される前における表示部３３Ｒを示し、図１７Ｃ（ｆ）は、後述する発表開始キー２７０が押下された後における表示部３３Ｒを示す。
【０２５１】
第１変形例では、会議支援装置２１０が１番目選択状態にあるときに、共存表示端末設定手段２５０は、会議支援装置２１０が１番目２番目同時選択状態になったときに後の発表者となる会議参加者Ｑの端末装置２０Ｑのみを、予め、「共存表示端末装置」に設定する。したがって、会議支援装置２１０が１番目２番目同時選択状態にあるとき、端末装置２０Ｑの表示部３３Ｑに表示される会議用画像２０００Ｑ中にのみ、２つの資料画像が表示される。第１変形例において、会議支援装置２１０が１番目選択状態または２番目選択状態のときに各表示部３３Ｐ，３３Ｑ，３３Ｒに表示される画像は、基本例において、会議支援装置２１０が１番目選択状態または２番目選択状態のときに各表示部３３Ｐ，３３Ｑ，３３Ｒに表示される画像と同一であるので、説明は省略する。また、同一の参照符号を付した手段または画像は、同一の機能を有するので、説明は省略する。
【０２５２】
会議支援装置２１０が１番目２番目同時選択状態になると、表示部３３Ｐでは、図１７Ａ（ａ）に示すように、会議用画像２０００Ｐ中から発表用画像３００Ｐが削除され、会議用画像２０００Ｐ中に先発表用画像３１０Ｐが表示される。このとき、基本例とは異なり、会議用画像２０００Ｐ中には、後聴講用画像３２０Ｐが表示されない。また、このとき、会議用画像２０００Ｐ中に、１つの資料画像しか表示されないので、先発表用画像選択キー２６０Ｐおよび後聴講用画像選択キー２６１Ｐも表示されない。
【０２５３】
会議支援装置２１０が１番目２番目同時選択状態になると、表示部３３Ｒでは、図１７Ｃ（ｅ）に示すように、会議用画像２０００Ｒ中から聴講用画像３３０Ｒが削除され、会議用画像２０００Ｒ中に先聴講用画像３４０Ｒが表示される。このとき、基本例とは異なり、会議用画像２０００Ｒ中には、後聴講用画像３２０Ｒが表示されない。また、このとき、会議用画像２０００Ｒ中に、１つの資料画像しか表示されないので、先聴講用画像選択キー２６３Ｒおよび後聴講用画像選択キー２６１Ｒも表示されない。
【０２５４】
会議支援装置２１０が１番目２番目同時選択状態になると、表示部３３Ｑでは、図１７Ｂ（ｃ）に示すように、会議用画像２０００Ｑ中から聴講用画像３３０Ｑが削除され、会議用画像２０００Ｑ中に先聴講用画像３４０Ｑおよび後発表用画像３５０Ｑが表示される。また、このとき、会議用画像２０００Ｑ中に、後発表用画像選択キー２６２Ｑおよび先聴講用画像選択キー２６３Ｑが表示される。さらに、このとき、基本例とは異なり、会議用画像２０００Ｑ中に、発表開始キー２７０が表示される。なお、少なくとも１つ以上の端末装置２０が「共存表示端末装置」として設定されていない場合は、会議用画像２０００Ｑ中に発表開始キー２７０が表示されるように、会議支援装置２１０を構成してもよい。
【０２５５】
図１７Ｂ（ｃ）に示す発表開始キー２７０は、後の発表者がプレゼンテーションを行う直前に押下するキーである。先の発表者である会議参加者Ｐの発表が終了した時点では、表示部３３Ｐには、先発表用画像３１０Ｐしか表示されておらず、また、表示部３３Ｒには先聴講用画像３４０Ｒしか表示されていない。後の発表者である会議参加者Ｑが、発表開始キー２７０を押下することで、図１７Ａ（ｂ），図１７Ｃ（ｆ）に示すように、先発表用画像３１０Ｐおよび先聴講用画像３４０Ｒのそれぞれを、後聴講用画像３２０Ｐ，３２０Ｒに変更させることができる。したがって、発表開始キー２７０は、画像変更指示信号を送信するためのキーである。また、発表開始キー２７０が押下されると、図１７Ｂ（ｄ）に示すように、会議用画像２０００Ｑ中から該発表開始キー２７０が削除され、後発表用画像３５０Ｑが最前面に表示される。
【０２５６】
図１７Ｂ（ｃ）に示す発表開始キー２７０が押下されたとき、後聴講用画像３２０Ｐ，３２０Ｒ中には、たとえば、後の発表の資料データ群１の、第１ページに基づく画像が表示される。なお、発表開始キー２７０が押下されるまでは、後発表用画像３５０Ｑの、資料データ群選択キー３５４Ｑや資料データ選択キー３５３Ｑが押下されても、画像変更指示信号は送信されず、画像表示部分３５１Ｑに表示される画像のみが変更されるように構成することが好ましい。これによって、会議参加者Ｑは、先のプレゼンテーションの進行中に、自身のプレゼンテーションに用いるすべての資料画像を閲覧することができる。
【０２５７】
会議参加者Ｑは、発表開始キー２７０を押下した後、後発表用画像３５０Ｑを用いてプレゼンテーションを進めることになる。その後、第２変更手段２４８が、会議参加者Ｑによるプレゼンテーションの始期が過ぎたと判定すると、会議支援装置２１０を１番目２番目同時選択状態から２番目選択状態へ切り替える。
【０２５８】
このように、会議支援装置２１０の第１変形例では、１番目２番目同時選択状態において、先のプレゼンテーションに用いられる資料画像および後のプレゼンテーションに用いられる資料画像の両画像が同時に表示されるのは、後の発表者である会議参加者Ｑが用いる端末装置２０Ｑの表示部３３Ｑのみである。したがって、後の発表者である会議参加者Ｑは、自身のプレゼンテーションに備えることができ、他の会議参加者は、進行中のプレゼンテーションに集中することができる。
【０２５９】
次に、会議支援装置２１０の第２変形例について、図１８および図１９を用いて説明する。図１８は、第２実施形態の第２変形例において、１番目２番目同時選択状態における端末装置２０Ｑの表示部３３Ｑを示す図である。図１９は、第２実施形態の第２変形例において、１番目２番目同時選択状態における端末装置２０Ｒの表示部３３Ｒを示す図である。
【０２６０】
第２変形例では、会議支援装置２１０は、任意画像表示端末設定手段の機能も実現する。任意画像表示端末設定手段は、進行リストに基づいて、会議支援装置２１０が第１状態にあるときに、端末装置２０の中から選択した１または２以上の端末装置２０を、予め、「任意画像表示端末装置」に設定する手段である。また、第２変形例では、資料画像表示手段２４２が、先のプレゼンテーションに用いられる資料画像および後のプレゼンテーションに用いられる資料画像以外の資料画像を、「任意画像表示端末装置」として設定された端末装置２０の表示部３３に表示させる。本第２変形例では、１番目２番目同時選択状態において「任意画像表示端末装置」として設定される端末装置２０は、以下に説明するように、１番目２番目同時選択状態において後の発表者となる会議参加者Ｑの用いる端末装置２０Ｑ、および１番目２番目同時選択状態において先の発表者にも後の発表者にもならない会議参加者Ｒの用いる端末装置２０Ｒであるけれども、すべての端末装置２０であってもよい。１番目２番目同時選択状態において「任意画像表示端末装置」として設定される端末装置２０である端末装置２０Ｑ，２０Ｒの表示部３３Ｑ，３３Ｒには、後述する任意閲覧用画像３６０Ｑ，３６０Ｒが表示される。１番目２番目同時選択状態において「任意画像表示端末装置」として設定される端末装置２０ではない端末装置２０Ｐの表示部３３Ｐに表示される画像は、基本例のときと同一であるので、説明は省略する。また、第２変形例において、会議支援装置２１０が１番目選択状態または２番目選択状態のときに表示部３３Ｑ，３３Ｒに表示される画像は、基本例のときと同一であるので、説明は省略する。また、同一の参照符号を付した手段または画像は、同一の機能を有するので、説明は省略する。
【０２６１】
会議支援装置２１０が１番目２番目同時選択状態になると、表示部３３Ｑでは、図１８（ａ）に示すように、会議用画像２０００Ｑ中から聴講用画像３３０Ｑが削除され、会議用画像２０００Ｑ中に先聴講用画像３４０Ｑ、後発表用画像３５０Ｑ、および任意閲覧用画像３６０Ｑが新たに表示される。基本例と異なる点は、任意閲覧用画像３６０Ｑが表示されることである。
【０２６２】
図１８（ａ）に示す任意閲覧用画像３６０Ｑは、会議支援装置２１０が第２状態にあるときにおいて、会議に用いられるすべての資料データの中から会議参加者Ｑが任意に選択した資料データに基づく画像を含む画像である。本実施形態では、任意閲覧用画像３６０Ｑの左上隅には、任意閲覧用の画像であることを示す「任」の文字が表示される。
【０２６３】
また、図１８（ａ）に示すように、会議支援装置２１０が１番目２番目同時選択状態にあるとき、表示部３３Ｑにおける会議用画像２０００Ｑ中には、後発表用画像選択キー２６２Ｑと、先聴講用画像選択キー２６３Ｑと、任意閲覧用画像選択キー２６４Ｑと、順番表示部分２６５Ｑと、順番選択キー２６６Ｑとが表示される。任意閲覧用画像選択キー２６４Ｑは、任意閲覧用画像３６０Ｑを最前面に表示させるキーである。会議支援装置２１０が１番目２番目同時選択状態になった時点では、先聴講用画像選択キー２６３Ｑが選択されている状態であり、先聴講用画像３４０Ｑが最前面に表示され、任意閲覧用画像３６０Ｑは最背面に表示される。この状態から、任意閲覧用画像選択キー２６４Ｑを選択することで、図１８（ｂ）に示すように、任意閲覧用画像３６０Ｑを最前面に表示させることができる。
【０２６４】
図１８（ａ）に示す順番表示部分２６５Ｑは、任意閲覧用画像３６０Ｑ中に表示される資料画像の基となる資料データと関連付けられた順番が表示される領域である。本実施形態では、会議支援装置２１０が１番目２番目同時選択状態となった時点において、先のプレゼンテーションの発表の順番番号および後のプレゼンテーションの発表の順番番号のいずれでもない順番番号「３」が表示され、任意閲覧用画像３６０Ｑ中には、順番番号「３」と関連付けられた資料画像が表示される。
【０２６５】
図１８（ａ）に示す順番選択キー２６６Ｑは、前順番選択キー２６６Ｑａと、後順番選択キー２６６Ｑｂとを含む。前順番選択キー２６６Ｑａは、任意閲覧用画像３６０Ｑ中に表示中の資料画像と関連付けられた順番情報よりも１つ前の順番情報に関連付けられた資料画像を表示させるためのキーである。後順番選択キー３６６Ｑｂは、任意閲覧用画像３６０Ｑ中に表示中の資料画像と関連付けられた順番情報よりも１つ後の順番情報に関連付けられた資料画像を表示させるためのキーである。表示部３３Ｑは、後順番選択キー２６６Ｑｂが押下されると、図１８（ｃ）に示すように、任意閲覧用画像３６０Ｑ中に順番番号「４」と関連付けられた資料画像を表示する。
【０２６６】
図１８（ｂ）に示す任意閲覧用画像３６０Ｑは、画像表示部分３６１Ｑと、ページ数表示部分３６２Ｑと、資料データ選択キー３６３Ｑと、資料データ群選択キー３６４Ｑとを含む。画像表示部分３６１Ｑは、資料画像を表示する領域であり、後述する資料データ選択キー３６３Ｑおよび資料データ群選択キー３６４Ｑによって選択された資料データに基づく画像を表示する領域である。なお、はじめに任意閲覧用画像３６０Ｑが表示されるときは、画像表示部分１６１Ｂには、資料データ群１の第１ページの資料データに基づく画像が表示されるとする。
【０２６７】
図１８（ｂ）に示す資料データ群選択キー３６４Ｑは、画像表示部分３６１Ｑに表示する資料画像の基となる資料データが属する資料データ群を選択するためのキーである。資料データ群選択キー３６４Ｑは、進行リスト（表２）に基づいて表示される。たとえば、図１８（ｂ）において、順番表示部分２６５Ｑに表示中の順番番号「３」と関連付けられた資料データ群は１つであるので、表示部３３Ｑに表示される任意閲覧用画像３６０Ｑ中における資料データ群選択キー３６４Ｑも１つである。また、たとえば、図１８（ｃ）において、順番表示部分２６５Ｑに表示中の順番番号「４」と関連付けられた資料データ群は４つであるので、表示部３３Ｑに表示される任意閲覧用画像３６０Ｑ中における資料データ群選択キー３６４Ｑは、資料データ群１選択キー３６４Ｑａ、資料データ群２選択キー３６４Ｑｂ、資料データ群３選択キー３６４Ｑｃ、および資料データ群４選択キー３６４Ｑｄの４つとなる。
【０２６８】
図１８（ｂ）に示す資料データ選択キー３６３Ｑは、資料データ群選択キー３６４Ｑによって選択された資料データ群の中において、画像表示部分３６１Ｑに表示する資料画像の基となる資料データを選択するためのキーである。資料データ選択キー３６３Ｑは、前ページ送りキー３６３Ｑａと、後ページ送りキー３６３Ｑｂとを含む。前ページ送りキー３６３Ｑａは、画像表示部分３６１Ｑに表示中の資料画像の基となった資料データより１つ前のページの資料データを選択し、該資料データに基づく画像を画像表示部分３６１Ｑに表示させるキーである。後ページ送りキー３６３Ｑｂは、画像表示部分３６１Ｑに表示中の資料画像の基となった資料データより１つ後のページの資料データを選択し、該資料データに基づく画像を画像表示部分３６１Ｑに表示させるキーである。
【０２６９】
図１８（ｂ）に示すページ数表示部分３６２Ｑは、資料データ群選択キー３６４Ｑによって選択された資料データ群の総ページ数と、画像表示部分３６１Ｑに表示中の資料画像の基となった資料データのページ番号とを表示する領域である。
【０２７０】
また、会議支援装置２１０が１番目２番目同時選択状態になると、表示部３３Ｒでは、図１９（ａ）に示すように、会議用画像２０００Ｒ中から聴講用画像３３０Ｒが削除され、会議用画像２０００Ｒ中に先聴講用画像３４０Ｒ、後聴講用画像３２０Ｒ、および任意閲覧用画像３６０Ｒが新たに表示される。基本例と異なる点は、任意閲覧用画像３６０Ｒが表示されることである。
【０２７１】
図１９（ａ）に示す任意閲覧用画像３６０Ｒは、任意閲覧用画像３６０Ｑと同一の機能を有する。すなわち、任意閲覧用画像３６０Ｒは、画像表示部分３６１Ｒ、ページ数表示部分３６２Ｒ、資料データ選択キー３６３Ｒ、および資料データ群選択キー３６４Ｒを含んでおり、それぞれの機能は、画像表示部分３６１Ｑ、ページ数表示部分３６２Ｑ、資料データ選択キー３６３Ｑ、および資料データ群選択キー３６４Ｑの機能と同一である。
【０２７２】
また、図１９（ａ）に示すように、会議支援装置２１０が１番目２番目同時選択状態にあるとき、表示部３３Ｒにおける会議用画像２０００Ｒ中には、先聴講用画像選択キー２６３Ｒと、後聴講用画像選択キー２６１Ｒと、任意閲覧用画像選択キー２６４Ｒと、順番表示部分２６５Ｒと、順番選択キー２６６Ｒとが表示される。任意閲覧用画像選択キー２６４Ｒ、順番表示部分２６５Ｒ、および順番選択キー２６６Ｒは、それぞれ任意閲覧用画像選択キー２６４Ｑ、順番表示部分２６５Ｑ、および順番選択キー２６６Ｑと同一の機能を有する。会議支援装置２１０が１番目２番目同時選択状態になった時点では、先聴講用画像選択キー２６３Ｒが選択されている状態であり、先聴講用画像３４０Ｒが最前面に表示され、任意閲覧用画像３６０Ｒは最背面に表示される。この状態から、任意閲覧用画像選択キー２６４Ｒを選択することで、図１９（ｂ）に示すように、任意閲覧用画像３６０Ｒを最前面に表示させることができる。
【０２７３】
このように、会議支援装置２１０が１番目２番目同時選択状態にあるとき、１番目２番目同時選択状態において「任意画像表示端末装置」として設定された端末装置２０である端末装置２０Ｑ，２０Ｒの表示部３３Ｑ，３３Ｒに表示される会議用画像２０００Ｑ，２０００Ｒ中には、それぞれ任意閲覧用画像３６０Ｑ，３６０Ｒが表示される。会議参加者Ｑ、会議参加者Ｒは、それぞれ任意閲覧用画像３６０Ｑ，３６０Ｒによって、会議に用いられるいずれの資料画像も閲覧することができる。したがって、第２変形例によれば、より利便性の高い会議支援装置２１０を提供できる。
【０２７４】
なお、第２変形例において、会議支援装置２１０が１番目２番目同時選択状態にあるとき、会議支援装置２１０の一時記憶部は、会議に用いられるすべての資料データに基づく画像を表示させるための各画像データを記憶している。したがって、資料画像表示手段２４２は、いずれの資料画像であっても、順番選択キー２６６Ｑ，２６６Ｒ、資料データ選択キー３６３Ｑ，３６３Ｒ、または資料データ群選択キー３６４Ｑ，３６４Ｒが押下された後、直ちに任意閲覧用画像３６０Ｑ，３６０Ｒ中に表示させることができる。
【０２７５】
また、本発明のさらに他の実施の形態として、コンピュータを、上述した会議支援装置１０，２１０、または会議支援システム５０，２２０として機能させるために、コンピュータに実行させるためのプログラムコード（実行形式プログラム、中間コードプログラムおよびソースプログラムの少なくともいずれか１つ）、およびこのプログラムコードを記録したコンピュータ読み取り可能な記録媒体を提供することも可能である。本実施の形態によれば、上記プログラムコードを記録した記録媒体を持ち運び自在に提供することができる。
【０２７６】
なお、プログラムコードを記録する記録媒体としては、マイクロコンピュータで処理が行われるために図示していないメモリ、たとえばＣＤ−ＲＯＭ（Compact Disc−Read 
Only Memory）のようなものそのものがプログラムメディアであってもよいし、また、図示していないが外部記憶装置としてプログラム読み取り装置が設けられ、そこに記録媒体を挿入することで読み取り可能なプログラムメディアであってもよい。
【０２７７】
いずれの場合においても、格納されているプログラムコードはマイクロプロセッサがアクセスして実行させる構成であってもよいし、あるいは、いずれの場合もプログラムコードを読み出し、読み出されたプログラムコードは、マイクロコンピュータの図示されていないプログラム記憶エリアにダウンロードされて、そのプログラムコードが実行される方式であってもよい。このダウンロード用のプログラムは予め本体装置に格納されているものとする。
【０２７８】
上記プログラムメディアは、本体と分離可能に構成される記録媒体であり、磁気テープやカセットテープなどのテープ系、フロッピー（登録商標）ディスクやハードディスクなどの磁気ディスクやＣＤ−ＲＯＭ／ＭＯ（Magneto Optical disc）／ＭＤ（Mini Disc）／ＤＶＤ（Digital Versatile Disc）などの光ディスクのディスク系、ＩＣ（Integrated Circuit）カード（メモリカードを含む）／光カードなどのカード系、あるいはマスクＲＯＭ、ＥＰＲＯＭ（Erasable Programmable Read Only Memory）、ＥＥＰＲＯＭ（
Electrically Erasable Programmable Read Only Memory）、フラッシュＲＯＭなどによる半導体メモリを含めた固定的にプログラムを担持する媒体であってもよい。
【０２７９】
また、インターネットを含む通信ネットワークを接続可能なシステム構成を持つことで、通信ネットワークからプログラムコードをダウンロードするように流動的にプログラムコードを担持する媒体であってもよい。なお、このように通信ネットワークからプログラムコードをダウンロードする場合には、そのダウンロード用のプログラムは予め本体装置に格納しておくか、あるいは別な記録媒体からインストールされるものであってもよい。なお、本発明は、上記プログラムコードが電子的な伝送で具現化された、搬送波に埋め込まれたコンピュータデータ信号の形態でも実現され得る。
【０２８０】
上記記録媒体は、コンピュータシステムに備えられるプログラム読み取り装置により読み取られることで上述した会議進行処理が実行される。
【符号の説明】
【０２８１】
１  制御部
２  一時記憶部
３  記憶部
４  通信処理部
５  ネットワークＩ／Ｆ部
６  出力部
１０，２１０  会議支援装置
２０，２０Ｐ，２０Ｑ，２０Ｒ  端末装置
２０Ａ  発表用端末装置
２０Ｂ，２０Ｃ  聴講用端末装置
３３，３３Ａ，３３Ｂ，３３Ｃ，３３Ｐ，３３Ｑ，３３Ｒ  表示部
３６  操作部
４０  ＩＰネットワーク
５０，２２０  会議支援システム
４１，２４１  資料データ記憶手段
４２，２４２  資料画像表示手段
４３，２４３  進行リスト記憶手段
４４，２４４  選択手段
４５，２４５  画像変更指示受信手段
４６，２４６  画像変更手段
４７，２４７  第１変更手段
４８，２４８  第２変更手段
２４９  端末選定手段
２５０  共存表示端末設定手段
【図１】
2011142523.tif 000005
【図２】
2011142523.tif 000006
【図３】
2011142523.tif 000007
【図４】
2011142523.tif 000008
【図５】
2011142523.tif 000009
【図６Ａ】
2011142523.tif 000010
【図６Ｂ】
2011142523.tif 000011
【図７Ａ】
2011142523.tif 000012
【図７Ｂ】
2011142523.tif 000013
【図８】
2011142523.tif 000014
【図９Ａ】
2011142523.tif 000015
【図９Ｂ】
2011142523.tif 000016
【図１０】
2011142523.tif 000017
【図１１】
2011142523.tif 000018
【図１２】
2011142523.tif 000019
【図１３】
2011142523.tif 000020
【図１４Ａ】
2011142523.tif 000021
【図１４Ｂ】
2011142523.tif 000022
【図１４Ｃ】
2011142523.tif 000023
【図１５Ａ】
2011142523.tif 000024
【図１５Ｂ】
2011142523.tif 000025
【図１５Ｃ】
2011142523.tif 000026
【図１６】
2011142523.tif 000027
【図１７Ａ】
2011142523.tif 000028
【図１７Ｂ】
2011142523.tif 000029
【図１７Ｃ】
2011142523.tif 000030
【図１８】
2011142523.tif 000031
【図１９】
2011142523.tif 000032